(57)【要約】      （修正有）【課題】左右側面部を開くまではカード紙片が左右側面部に付着して脱落せず、左右側面部を中央面部から剥がして開かなくてもカード紙片を容易に取り出すことができるカード紙片付印刷物を提供する。【解決手段】中央面部の上端部と下端部に左側面部１１ｂと右側面部１１ｃが接着され、カード紙片１４の周縁において、左側面部と右側面部は中央面部と接着されず、左側面部と右側面部の一方の側面部と前記カード紙片が重なる部分で、カード紙片の上部と下部で一方の側面部はカード紙片に接着され、カード紙片の上部と下部に挟まれた部分のうち、カード紙片の側部周縁の内側近傍を除く部分の一部で、一方の側面部はカード紙片と接着され、左側面部と右側面部の他方の側面部とカード紙片が重なる部分で、カード紙片の上部と下部で他方の側面部はカード紙片に接着され、カード紙片の上部と下部を除く部分で、他方の側面部はカード紙片と接着されていない。【選択図】図１
2018015975.tif 000002
【特許請求の範囲】
【請求項１】
カード紙片が打抜き形成された中央面部と左側面部と右側面部からなり、この左側面部と右側面部が、前記中央面部側に折り重ねられて剥離可能な接着剤を介して前記中央面部及び前記カード紙片に接着されたカード紙片付印刷物であって、
前記中央面部の上端部と下端部において、前記左側面部と前記右側面部は、前記中央面部と接着され、前記カード紙片の周縁の外側近傍おいて、前記左側面部と前記右側面部は、前記中央面部と接着されておらず、
前記左側面部と前記右側面部の一方の側面部と前記カード紙片が重なる部分において、前記カード紙片の上部と下部で前記一方の側面部は前記カード紙片に接着され、前記カード紙片の上部と下部に挟まれた部分のうち、前記カード紙片の側部周縁の内側近傍を除く部分の一部で、さらに前記一方の側面部は前記カード紙片と接着され、
前記左側面部と前記右側面部の他方の側面部と前記カード紙片が重なる部分において、前記カード紙片の上部と下部で前記他方の側面部は前記カード紙片に接着され、前記カード紙片の上部と下部を除く部分で、前記他方の側面部は前記カード紙片と接着されていないこと
を特徴とするカード紙片付印刷物。
【請求項２】
前記カード紙片の側部周縁の内側近傍を除く部分の一部は、上下方向に縦長の帯状部分の全部又は一部であることを特徴とする請求項１記載のカード紙片付印刷物。
【請求項３】
カード紙片が打抜き形成された中央面部と左側面部と右側面部からなり、この左側面部と右側面部が、前記中央面部側に折り重ねられて剥離可能な接着剤を介して前記中央面部及び前記カード紙片に接着されたカード紙片付印刷物であって、
前記中央面部の上端部と下端部において、前記左側面部と前記右側面部は、前記中央面部と接着され、前記カード紙片の周縁の外側近傍おいて、前記左側面部と前記右側面部は、前記中央面部と接着されておらず、
前記左側面部と前記カード紙片が重なる部分において、前記カード紙片の上部と下部で前記左側面部は前記カード紙片に接着され、前記カード紙片の上部と下部に挟まれた部分のうち、前記カード紙片の左側部周縁の内側近傍を除く部分の一部で、さらに前記左側面部は前記カード紙片と接着され、
前記右側面部と前記カード紙片が重なる部分において、前記カード紙片の上部と下部で前記右側面部は前記カード紙片に接着され、前記カード紙片の上部と下部に挟まれた部分のうち、前記カード紙片の右側部周縁の内側近傍を除く部分の一部で、さらに前記右側面部は前記カード紙片と接着されていること
を特徴とするカード紙片付印刷物。
【請求項４】
前記カード紙片の左側部周縁の内側近傍を除く部分の一部と、前記カード紙片の右側部周縁の内側近傍を除く部分の一部は、上下方向に縦長の帯状部分の全部又は一部であることを特徴とする請求項３記載のカード紙片付印刷物。
【請求項５】
カード紙片が打抜き形成された中央面部と左側面部と右側面部とからなり、この左側面部と右側面部が、前記中央面部側に折り重ねられて剥離可能な接着剤を介して前記中央面部及び前記カード紙片に接着され、左右方向において、一方の側面部と前記カード紙片の重なり幅は、他方の側面部と前記カード紙片の重なり幅よりも小さいカード紙片付印刷物であって、
前記中央面部の上端部と下端部において、前記左側面部と前記右側面部は、前記中央面部と接着され、前記カード紙片の周縁の外側近傍おいて、前記左側面部と前記右側面部は、前記中央面部と接着されておらず、
前記一方の側面部と前記カード紙片が重なる部分において、前記カード紙片の上部と下部で前記一方の側面部は前記カード紙片に接着され、前記カード紙片の上部と下部を除く部分で、前記一方の側面部は前記カード紙片と接着されておらず、
前記他方の側面部と前記カード紙片が重なる部分において、前記カード紙片の上部と下部で前記他方の側面部は前記カード紙片に接着され、前記カード紙片の上部と下部に挟まれた部分のうち、前記カード紙片の側部周縁の内側近傍を除く部分の一部で、さらに前記他方の側面部は前記カード紙片と接着されていること
を特徴とするカード紙片付印刷物。
【請求項６】
前記カード紙片の側部周縁の内側近傍を除く部分の一部は、上下方向に縦長の一列の帯状部分の全部又は一部であることを特徴とする請求項５記載のカード紙片付印刷物。
【請求項７】
前記カード紙片の側部周縁の内側近傍を除く部分の一部は、上下方向に縦長の二列の帯状部分の全部又は一部であることを特徴とする請求項５記載のカード紙片付印刷物。
【請求項８】
前記カード紙片は、前記中央面部における前記他方の側面部寄りに偏った位置に形成されていることを特徴とする請求項５乃至請求項７のいずれかに記載したカード紙片付印刷物。
【請求項９】
前記一方の側面部の左右方向の幅は、前記他方の側面部の左右方向の幅よりも長いことを特徴とする請求項５乃至請求項８のいずれかに記載したカード紙片付印刷物。
【請求項１０】
前記一方の側面部は前記左側面部であり、前記他方の側面部は前記右側面部であることを特徴とする請求項５乃至請求項９のいずれかに記載したカード紙片付印刷物。
【請求項１１】
前記中央面部は、２枚の用紙が非剥離性の接着剤により貼り合わされた貼り合せ部分を有し、前記カード紙片は、この貼り合せ部分に打抜き形成されていることを特徴とする請求項１乃至請求項１０のいずれかに記載したカード紙片付印刷物。
【請求項１２】
カード紙片が打抜き形成された中央面部と左側面部と右側面部からなり、この左側面部と右側面部が、前記中央面部側に折り重ねられて剥離可能な接着剤を介して前記中央面部及び前記カード紙片に接着されたカード紙片付印刷物の製造方法であって、
前記中央面部と前記左側面部と前記右側面部を形成するための第１の用紙と前記中央面部より幅の狭い第２の用紙を繰り出す用紙繰り出し工程と、
前記第２の用紙に非剥離性の第１の接着剤を塗布する第１の接着剤塗布工程と、
前記第２の用紙を前記第１の用紙の前記中央面部となる部分に前記第１の接着剤で貼り合せた貼り合せ部分を形成する貼り合せ部分形成工程と、
前記第１の用紙の前記左側面部と前記右側面部となる部分において、
前記左側面部と前記右側面部となる部分が前記中央面部となる部分に重なる部分のうち、前記中央面部となる部分の上端部と下端部に重なる部分にのみ剥離可能な第２の接着剤を塗布し、
前記左側面部となる部分と前記右側面部となる部分の一方と前記カード紙片となる部分が重なる部分のうち、前記カード紙片となる部分の上部と下部に重なる部分と、前記カード紙片となる部分の上部と下部に挟まれた部分のうち、前記カード紙片となる部分の側部周縁の内側近傍を除く部分の一部に前記第２の接着剤を塗布し、
前記左側面部となる部分と前記右側面部となる部分の他方と前記カード紙片となる部分が重なる部分のうち、前記カード紙片となる部分の上部と下部に重なる部分にのみ前記第２の接着剤を塗布する
第２の接着剤塗布工程と、
前記左側面部となる部分と前記右側面部となる部分を前記中央面部となる部分及び前記貼り合せ部分に折り重ねて前記第２の接着剤で接着させた折り重ね用紙形成工程と、
前記折り重ね用紙の前記貼り合せ部分を打抜いて前記カード紙片を形成するカード紙片形成工程と、
前記カード紙片が形成された前記折り重ね用紙を断裁する断裁工程と  
を備えたことを特徴とするカード紙片付印刷物の製造方法。
【請求項１３】
カード紙片が打抜き形成された中央面部と左側面部と右側面部からなり、この左側面部と右側面部が、前記中央面部側に折り重ねられて剥離可能な接着剤を介して前記中央面部及び前記カード紙片に接着されたカード紙片付印刷物の製造方法であって、
前記中央面部と前記左側面部と前記右側面部を形成するための第１の用紙と前記中央面部より幅の狭い第２の用紙を繰り出す用紙繰り出し工程と、
前記第２の用紙に非剥離性の第１の接着剤を塗布する第１の接着剤塗布工程と、
前記第２の用紙を前記第１の用紙の前記中央面部となる部分に前記第１の接着剤で貼り合せた貼り合せ部分を形成する貼り合せ部分形成工程と、
前記第１の用紙の前記左側面部と前記右側面部となる部分において、
前記左側面部と前記右側面部となる部分が前記中央面部となる部分に重なる部分のうち、前記中央面部となる部分の上端部と下端部に重なる部分にのみ剥離可能な第２の接着剤を塗布し、
前記左側面部となる部分と前記カード紙片となる部分が重なる部分のうち、前記カード紙片となる部分の上部と下部に重なる部分と、前記カード紙片となる部分の上部と下部に挟まれた部分のうち、前記カード紙片となる部分の左側部周縁の内側近傍を除く部分の一部に前記第２の接着剤を塗布し、
前記右側面部となる部分と前記カード紙片となる部分が重なる部分のうち、前記カード紙片となる部分の上部と下部に重なる部分と、前記カード紙片となる部分の上部と下部に挟まれた部分のうち、前記カード紙片となる部分の右側部周縁の内側近傍を除く部分の一部に前記第２の接着剤を塗布する
第２の接着剤塗布工程と、
前記左側面部となる部分と前記右側面部となる部分を前記中央面部となる部分及び前記貼り合せ部分に折り重ねて前記第２の接着剤で接着させた折り重ね用紙形成工程と、
前記折り重ね用紙の前記貼り合せ部分を打抜いて前記カード紙片を形成するカード紙片形成工程と、
前記カード紙片が形成された前記折り重ね用紙を断裁する断裁工程と  
を備えたことを特徴とするカード紙片付印刷物の製造方法。
【請求項１４】
カード紙片が打抜き形成された中央面部と左側面部と右側面部とからなり、この左側面部と右側面部が、前記中央面部側に折り重ねられて剥離可能な接着剤を介して前記中央面部及び前記カード紙片に接着され、左右方向において、一方の側面部と前記カード紙片の重なり幅は、他方の側面部と前記カード紙片の重なり幅よりも小さいカード紙片付印刷物の製造方法であって、
前記中央面部と前記左側面部と前記右側面部を形成するための第１の用紙と前記中央面部より幅の狭い第２の用紙を繰り出す用紙繰り出し工程と、
前記第２の用紙に非剥離性の第１の接着剤を塗布する第１の接着剤塗布工程と、
前記第２の用紙を前記第１の用紙の前記中央面部となる部分に前記第１の接着剤で貼り合せた貼り合せ部分を形成する貼り合せ部分形成工程と、
前記第１の用紙の前記左側面部と前記右側面部となる部分において、
前記左側面部と前記右側面部となる部分が前記中央面部となる部分に重なる部分のうち、前記中央面部となる部分の上端部と下端部に重なる部分にのみ剥離可能な第２の接着剤を塗布し、
前記一方の側面部となる部分が前記カード紙片となる部分に重なる部分のうち、前記カード紙片となる部分の上部と下部に重なる部分のみに前記第２の接着剤を塗布し、
前記他方の側面部となる部分が前記カード紙片となる部分に重なる部分のうち、前記カード紙片となる部分の上部と下部に重なる部分と、前記カード紙片となる部分の上部と下部に挟まれた部分のうち、前記カード紙片となる部分の側部周縁の内側近傍を除く部分の一部に前記第２の接着剤を塗布する
第２の接着剤塗布工程と、
前記左側面部となる部分と前記右側面部となる部分を前記中央面部となる部分及び前記貼り合せ部分に折り重ねて前記第２の接着剤で接着させた折り重ね用紙形成工程と、
前記折り重ね用紙の前記貼り合せ部分を打抜いて前記カード紙片を形成するカード紙片形成工程と、
前記カード紙片が形成された前記折り重ね用紙を断裁する断裁工程と  
を備えたことを特徴とするカード紙片付印刷物の製造方法。
【発明の詳細な説明】
【技術分野】
【０００１】
本発明は、用紙の一部にカード紙片が分離可能に形成されたカード紙片付印刷物及びカード紙片付印刷物の製造方法に関するものである。
【背景技術】
【０００２】
カタログ、チラシ、パンフレット、ダイレクトメール等の各種印刷物の中には、葉書、クーポン等のサービス券、チケット類、会員証等のカード紙片が用紙の一部に設けられたカード紙片付印刷物があり、各種用途に利用されている。このカード紙片付印刷物を入手した利用者は、用紙からカード紙片を分離し、葉書、クーポン等のサービス券、チケット類、会員証等として利用することができる。
このようなカード紙片付印刷物において、特開２００５−２３８５０３号公報（特許文献１）には、左側面部と中央面部と右側面部からなる印刷物であって、中央面部に、葉書、チケット、クーポン券等の分離して使用するものが設けられ、左右側面部が、中央面部側に折り重ねられて、中央面部及び分離して使用するものに一過性の粘着剤で貼着した印刷物が開示されている。
特許文献１の印刷物においては、左側面部の裏面は、当該分離して使用するものの上部、下部、左側部の内側及び外側に該当する部分に一過性の粘着剤が塗布されており、右側面部の裏面は、当該分離して使用するものの上部、下部、右側部の内側及び外側に該当する部分に一過性の粘着剤が塗布されており、当該左側面部の裏面及び当該右側面部の裏面が、前記中央面部の裏面及び当該分離して使用するものに貼着し、当該分離して使用するものの周囲に切り込みが入っている。
これにより、分離して使用するものの欠落が防止されるとともに、印刷物を左右に開くことができる。
そして、特許文献１の印刷物の開封に際しては、左側面部から開くと、右側面部の裏面に分離して使用するものが貼着したまま付いており、右側面部から開いた場合には左側面部の裏面に分離して使用するもの４が貼着すること、すなわち、後から開いた側面部に分離して使用するものが貼着したまま付いてくることとなる。
【０００３】
しかしながら、特許文献１の印刷物のように、後から開いた側面部に分離して使用するものが貼着したまま付いてくると、使用者にとって、分離して使用するものの使用に際し、分離して使用するものを側面部から剥がすという手間が生じて煩わしいばかりでなく、分離して使用するものを側面部から剥がす際に、側面部あるいは分離して使用するものが破断するおそれがあるという問題が生ずる。
一方、分離しているものと側面部の接着を弱くして、側面部から分離しているものが剥がれやすくすると、印刷物の製造時において、左右側面部を中央面部に接着して分離して使用するものを中央面部から打抜いた後に、分離して使用するものが左右側面部から剥がれて脱落しやすくなり、また、製造した後の運搬・輸送時等にも分離して使用するものが左右側面部から剥がれて脱落しやすくなる等、左右側面部を開くまでに分離して使用するものが左右側面部から剥がれて脱落しやすくなるという問題が生ずる。
さらに、左右側面部を中央面部から剥がして開かなくても、分離して使用するものを容易に取り出せれば使用者にとっての利便性が増す。
【先行技術文献】
【特許文献】
【０００４】
【特許文献１】特開２００５−２３８５０３号公報
【発明の概要】
【発明が解決しようとする課題】
【０００５】
本発明が解決しようとする課題は、左側面部と中央面部と右側面部からなるカード紙片付印刷物であって、中央面部にカード紙片が打抜き形成され、左右側面部が中央面部及びカード紙片に剥離可能に接着した印刷物において、左右側面部を開くまではカード紙片が左右側面部に付着して脱落せず、左右側面部を開くと、カード紙片は左右側面部から剥がれるか剥がれやすくなって、カード紙片を容易に取り出すことができるとともに、左右側面部を中央面部から剥がして開かなくてもカード紙片を容易に取り出すことができ、また、そのようなカード紙片付印刷物を連続して効率よく製造できるようにすることである。
【課題を解決するための手段】
【０００６】
請求項１記載の発明は、カード紙片が打抜き形成された中央面部と左側面部と右側面部からなり、この左側面部と右側面部が、前記中央面部側に折り重ねられて剥離可能な接着剤を介して前記中央面部及び前記カード紙片に接着されたカード紙片付印刷物であって、前記中央面部の上端部と下端部において、前記左側面部と前記右側面部は、前記中央面部と接着され、前記カード紙片の周縁の外側近傍おいて、前記左側面部と前記右側面部は、前記中央面部と接着されておらず、前記左側面部と前記右側面部の一方の側面部と前記カード紙片が重なる部分において、前記カード紙片の上部と下部で前記一方の側面部は前記カード紙片に接着され、前記カード紙片の上部と下部に挟まれた部分のうち、前記カード紙片の側部周縁の内側近傍を除く部分の一部で、さらに前記一方の側面部は前記カード紙片と接着され、前記左側面部と前記右側面部の他方の側面部と前記カード紙片が重なる部分において、前記カード紙片の上部と下部で前記他方の側面部は前記カード紙片に接着され、前記カード紙片の上部と下部を除く部分で、前記他方の側面部は前記カード紙片と接着されていないカード紙片付印刷物を提供して、上記課題を解決するものである。
【０００７】
請求項２記載の発明は、前記カード紙片の側部周縁の内側近傍を除く部分の一部は、上下方向に縦長の帯状部分の全部又は一部であるカード紙片付印刷物を提供して、上記課題を解決するものである。
【０００８】
請求項３記載の発明は、カード紙片が打抜き形成された中央面部と左側面部と右側面部からなり、この左側面部と右側面部が、前記中央面部側に折り重ねられて剥離可能な接着剤を介して前記中央面部及び前記カード紙片に接着されたカード紙片付印刷物であって、前記中央面部の上端部と下端部において、前記左側面部と前記右側面部は、前記中央面部と接着され、前記カード紙片の周縁の外側近傍おいて、前記左側面部と前記右側面部は、前記中央面部と接着されておらず、前記左側面部と前記カード紙片が重なる部分において、前記カード紙片の上部と下部で前記左側面部は前記カード紙片に接着され、前記カード紙片の上部と下部に挟まれた部分のうち、前記カード紙片の左側部周縁の内側近傍を除く部分の一部で、さらに前記左側面部は前記カード紙片と接着され、前記右側面部と前記カード紙片が重なる部分において、前記カード紙片の上部と下部で前記右側面部は前記カード紙片に接着され、前記カード紙片の上部と下部に挟まれた部分のうち、前記カード紙片の右側部周縁の内側近傍を除く部分の一部で、さらに前記右側面部は前記カード紙片と接着されているカード紙片付印刷物を提供して、上記課題を解決するものである。
【０００９】
請求項４記載の発明は、前記カード紙片の左側部周縁の内側近傍を除く部分の一部と、前記カード紙片の右側部周縁の内側近傍を除く部分の一部は、上下方向に縦長の帯状部分の全部又は一部であるカード紙片付印刷物を提供して、上記課題を解決するものである。
【００１０】
請求項５記載の発明は、カード紙片が打抜き形成された中央面部と左側面部と右側面部とからなり、この左側面部と右側面部が、前記中央面部側に折り重ねられて剥離可能な接着剤を介して前記中央面部及び前記カード紙片に接着され、左右方向において、一方の側面部と前記カード紙片の重なり幅は、他方の側面部と前記カード紙片の重なり幅よりも小さいカード紙片付印刷物であって、前記中央面部の上端部と下端部において、前記左側面部と前記右側面部は、前記中央面部と接着され、前記カード紙片の周縁の外側近傍おいて、前記左側面部と前記右側面部は、前記中央面部と接着されておらず、前記一方の側面部と前記カード紙片が重なる部分において、前記カード紙片の上部と下部で前記一方の側面部は前記カード紙片に接着され、前記カード紙片の上部と下部を除く部分で、前記一方の側面部は前記カード紙片と接着されておらず、前記他方の側面部と前記カード紙片が重なる部分において、前記カード紙片の上部と下部で前記他方の側面部は前記カード紙片に接着され、前記カード紙片の上部と下部に挟まれた部分のうち、前記カード紙片の側部周縁の内側近傍を除く部分の一部で、さらに前記他方の側面部は前記カード紙片と接着されているカード紙片付印刷物を提供して、上記課題を解決するものである。
【００１１】
請求項６記載の発明は、前記カード紙片の側部周縁の内側近傍を除く部分の一部は、上下方向に縦長の一列の帯状部分の全部又は一部である請求項５記載のカード紙片付印刷物を提供して、上記課題を解決するものである。
【００１２】
請求項７記載の発明は、前記カード紙片の側部周縁の内側近傍を除く部分の一部は、上下方向に縦長の二列の帯状部分の全部又は一部であるカード紙片付印刷物を提供して、上記課題を解決するものである。
【００１３】
請求項８記載の発明は、前記カード紙片は、前記中央面部における前記他方の側面部寄りに偏った位置に形成されているカード紙片付印刷物を提供して、上記課題を解決するものである。
【００１４】
請求項９記載の発明は、前記一方の側面部の左右方向の幅は、前記他方の側面部の左右方向の幅よりも長いカード紙片付印刷物を提供して、上記課題を解決するものである。
【００１５】
請求項１０記載の発明は、前記一方の側面部は前記左側面部であり、前記他方の側面部は前記右側面部であるカード紙片付印刷物を提供して、上記課題を解決するものである。
【００１６】
請求項１１記載の発明は、前記中央面部は、２枚の用紙が非剥離性の接着剤により貼り合わされた貼り合せ部分を有し、前記カード紙片は、この貼り合せ部分に打抜き形成されているカード紙片付印刷物を提供して、上記課題を解決するものである。
【００１７】
請求項１２記載の発明は、カード紙片が打抜き形成された中央面部と左側面部と右側面部からなり、この左側面部と右側面部が、前記中央面部側に折り重ねられて剥離可能な接着剤を介して前記中央面部及び前記カード紙片に接着されたカード紙片付印刷物の製造方法であって、前記中央面部と前記左側面部と前記右側面部を形成するための第１の用紙と前記中央面部より幅の狭い第２の用紙を繰り出す用紙繰り出し工程と、前記第２の用紙に非剥離性の第１の接着剤を塗布する第１の接着剤塗布工程と、前記第２の用紙を前記第１の用紙の前記中央面部となる部分に前記第１の接着剤で貼り合せた貼り合せ部分を形成する貼り合せ部分形成工程と、前記第１の用紙の前記左側面部と前記右側面部となる部分において、前記左側面部と前記右側面部となる部分が前記中央面部となる部分に重なる部分のうち、前記中央面部となる部分の上端部と下端部に重なる部分にのみ剥離可能な第２の接着剤を塗布し、前記左側面部となる部分と前記右側面部となる部分の一方と前記カード紙片となる部分が重なる部分のうち、前記カード紙片となる部分の上部と下部に重なる部分と、前記カード紙片となる部分の上部と下部に挟まれた部分のうち、前記カード紙片となる部分の側部周縁の内側近傍を除く部分の一部に前記第２の接着剤を塗布し、前記左側面部となる部分と前記右側面部となる部分の他方と前記カード紙片となる部分が重なる部分のうち、前記カード紙片となる部分の上部と下部に重なる部分にのみ前記第２の接着剤を塗布する第２の接着剤塗布工程と、前記左側面部となる部分と前記右側面部となる部分を前記中央面部となる部分及び前記貼り合せ部分に折り重ねて前記第２の接着剤で接着させた折り重ね用紙形成工程と、前記折り重ね用紙の前記貼り合せ部分を打抜いて前記カード紙片を形成するカード紙片形成工程と、前記カード紙片が形成された前記折り重ね用紙を断裁する断裁工程とを備えたカード紙片付印刷物の製造方法を提供して、上記課題を解決するものである。
【００１８】
請求項１３記載の発明は、カード紙片が打抜き形成された中央面部と左側面部と右側面部からなり、この左側面部と右側面部が、前記中央面部側に折り重ねられて剥離可能な接着剤を介して前記中央面部及び前記カード紙片に接着されたカード紙片付印刷物の製造方法であって、前記中央面部と前記左側面部と前記右側面部を形成するための第１の用紙と前記中央面部より幅の狭い第２の用紙を繰り出す用紙繰り出し工程と、前記第２の用紙に非剥離性の第１の接着剤を塗布する第１の接着剤塗布工程と、前記第２の用紙を前記第１の用紙の前記中央面部となる部分に前記第１の接着剤で貼り合せた貼り合せ部分を形成する貼り合せ部分形成工程と、前記第１の用紙の前記左側面部と前記右側面部となる部分において、前記左側面部と前記右側面部となる部分が前記中央面部となる部分に重なる部分のうち、前記中央面部となる部分の上端部と下端部に重なる部分にのみ剥離可能な第２の接着剤を塗布し、前記左側面部となる部分と前記カード紙片となる部分が重なる部分のうち、前記カード紙片となる部分の上部と下部に重なる部分と、前記カード紙片となる部分の上部と下部に挟まれた部分のうち、前記カード紙片となる部分の左側部周縁の内側近傍を除く部分の一部に前記第２の接着剤を塗布し、前記右側面部となる部分と前記カード紙片となる部分が重なる部分のうち、前記カード紙片となる部分の上部と下部に重なる部分と、前記カード紙片となる部分の上部と下部に挟まれた部分のうち、前記カード紙片となる部分の右側部周縁の内側近傍を除く部分の一部に前記第２の接着剤を塗布する第２の接着剤塗布工程と、前記左側面部となる部分と前記右側面部となる部分を前記中央面部となる部分及び前記貼り合せ部分に折り重ねて前記第２の接着剤で接着させた折り重ね用紙形成工程と、前記折り重ね用紙の前記貼り合せ部分を打抜いて前記カード紙片を形成するカード紙片形成工程と、前記カード紙片が形成された前記折り重ね用紙を断裁する断裁工程とを備えたカード紙片付印刷物の製造方法を提供して、上記課題を解決するものである。
【００１９】
請求項１４記載の発明は、カード紙片が打抜き形成された中央面部と左側面部と右側面部とからなり、この左側面部と右側面部が、前記中央面部側に折り重ねられて剥離可能な接着剤を介して前記中央面部及び前記カード紙片に接着され、左右方向において、一方の側面部と前記カード紙片の重なり幅は、他方の側面部と前記カード紙片の重なり幅よりも小さいカード紙片付印刷物の製造方法であって、前記中央面部と前記左側面部と前記右側面部を形成するための第１の用紙と前記中央面部より幅の狭い第２の用紙を繰り出す用紙繰り出し工程と、前記第２の用紙に非剥離性の第１の接着剤を塗布する第１の接着剤塗布工程と、前記第２の用紙を前記第１の用紙の前記中央面部となる部分に前記第１の接着剤で貼り合せた貼り合せ部分を形成する貼り合せ部分形成工程と、前記第１の用紙の前記左側面部と前記右側面部となる部分において、前記左側面部と前記右側面部となる部分が前記中央面部となる部分に重なる部分のうち、前記中央面部となる部分の上端部と下端部に重なる部分にのみ剥離可能な第２の接着剤を塗布し、前記一方の側面部となる部分が前記カード紙片となる部分に重なる部分のうち、前記カード紙片となる部分の上部と下部に重なる部分のみに前記第２の接着剤を塗布し、前記他方の側面部となる部分が前記カード紙片となる部分に重なる部分のうち、前記カード紙片となる部分の上部と下部に重なる部分と、前記カード紙片となる部分の上部と下部に挟まれた部分のうち、前記カード紙片となる部分の側部周縁の内側近傍を除く部分の一部に前記第２の接着剤を塗布する第２の接着剤塗布工程と、前記左側面部となる部分と前記右側面部となる部分を前記中央面部となる部分及び前記貼り合せ部分に折り重ねて前記第２の接着剤で接着させた折り重ね用紙形成工程と、前記折り重ね用紙の前記貼り合せ部分を打抜いて前記カード紙片を形成するカード紙片形成工程と、前記カード紙片が形成された前記折り重ね用紙を断裁する断裁工程とを備えたカード紙片付印刷物の製造方法を提供して、上記課題を解決するものである。
【発明の効果】
【００２０】
請求項１記載のカード紙片付印刷物の発明においては、左右側面部を開くまではカード紙片が左右側面部に付着して脱落せず、左右側面部を開くと、カード紙片は左右側面部から剥がれるか剥がれやすくなって、カード紙片を容易に取り出すことができるとともに、左右側面部を中央面部から剥がして開かなくてもカード紙片を容易に取り出すことができという効果を奏する。
【００２１】
請求項２記載のカード紙片付印刷物の発明においては、請求項１の発明と同様の効果を奏する。
【００２２】
請求項３記載のカード紙片付印刷物の発明においては、左右側面部を開くまではカード紙片が左右側面部に付着して脱落せず、左右側面部を開くと、カード紙片は左右側面部から剥がれるか剥がれやすくなって、カード紙片を容易に取り出すことができるとともに、左右側面部を中央面部から剥がして開かなくてもカード紙片を容易に取り出すことができという効果を奏する。
【００２３】
請求項４記載のカード紙片付印刷物の発明においては、請求項３の発明と同様の効果を奏する。
【００２４】
請求項５記載のカード紙片付印刷物の発明においては、左右側面部を開くまではカード紙片が左右側面部に付着して脱落せず、左右側面部を開くと、カード紙片は左右側面部から剥がれるか剥がれやすくなって、カード紙片を容易に取り出すことができるとともに、左右側面部を中央面部から剥がして開かなくてもカード紙片を容易に取り出すことができという効果を奏する。
【００２５】
請求項６記載のカード紙片付印刷物の発明においては、請求項５の発明と同様の効果を奏する。
【００２６】
請求項７記載のカード紙片付印刷物の発明においては、請求項５の発明と同様の効果を奏する。
【００２７】
請求項８記載のカード紙片付印刷物の発明においては、請求項５の発明と同様の効果を奏する。
【００２８】
請求項９記載のカード紙片付印刷物の発明においては、請求項５の発明と同様の効果を奏する。
【００２９】
請求項１０記載のカード紙片付印刷物の発明においては、請求項５の発明と同様の効果を奏する。
【００３０】
請求項１１記載のカード紙片付印刷物の発明においては、請求項１の発明と同様の効果を奏する。
【００３１】
請求項１２記載のカード紙片付印刷物の製造方法の発明においては、カード紙片が左側面部と右側面部から脱落することなく、左側面部や右側面部に折れ込みが生ずることなく、請求項１記載の発明のカード紙片付印刷物を連続的に効率よく製造できるという効果を奏する。
【００３２】
請求項１３記載のカード紙片付印刷物の製造方法の発明においては、カード紙片が左側面部と右側面部から脱落することなく、左側面部や右側面部に折れ込みが生ずることなく、請求項３記載の発明のカード紙片付印刷物を連続的に効率よく製造できるという効果を奏する。
【００３３】
請求項１４記載のカード紙片付印刷物の製造方法の発明においては、カード紙片が左側面部と右側面部から脱落することなく、左側面部や右側面部に折れ込みが生ずることなく、請求項５記載の発明のカード紙片付印刷物を連続的に効率よく製造できるという効果を奏する。
【図面の簡単な説明】
【００３４】
【図１】本発明の第１実施形態のカード紙片付印刷物の平面図である。
【図２】図１のカード紙片付印刷物を正面から見た状態を模式的に表した説明図である。
【図３】図１のカード紙片付印刷物の底面図である。
【図４】図１のＸ１−Ｘ１断面図である。
【図５】左側面部１１ｂと右側面部１１ｃを開いて広げた状態のカード紙片付印刷物１の平面図である。
【図６】カード紙片１４の周縁の外側近傍において中央面部１１ａと左右側面部１１ｂ、１１ｃを接着しない状態のカード紙片付印刷物１の平面図である。
【図７】図６に示すカード紙片付印刷物１において右側面部１１ｃを開いた状態の平面図である。
【図８】図７に示すカード紙片付印刷物１において左側面部を開く場合にカード紙片１４に作用する力等を説明する説明図である。
【図９】カード紙片１４の周縁の外側近傍において中央面部１１ａと左右側面部１１ｂ、１１ｃを接着した状態のカード紙片付印刷物１の平面図である。
【図１０】図９に示すカード紙片付印刷物１において右側面部１１ｃを開いた状態の平面図である。
【図１１】図１０に示すカード紙片付印刷物１において左側面部を開く場合にカード紙片１４に作用する力等を説明する説明図である。
【図１２】左側面部１１ｂ、右側面部１１ｃと、中央面部１１ａ、カード紙片１４との第２の接着層１６による接着部分のパターンの第１例を示したカード紙片付印刷物１の平面図である。
【図１３】左側面部１１ｂ、右側面部１１ｃと、中央面部１１ａ、カード紙片１４との第２の接着層１６による接着部分のパターンの第２例を示したカード紙片付印刷物１の平面図である。
【図１４】左側面部１１ｂ、右側面部１１ｃと、中央面部１１ａ、カード紙片１４との第２の接着層１６による接着部分のパターンの第３例を示したカード紙片付印刷物１の平面図である。
【図１５】左側面部１１ｂ、右側面部１１ｃと、中央面部１１ａ、カード紙片１４との第２の接着層１６による接着部分のパターンの第４例を示したカード紙片付印刷物１の平面図である。
【図１６】左側面部１１ｂ、右側面部１１ｃと、中央面部１１ａ、カード紙片１４との第２の接着層１６による接着部分のパターンの第５例を示したカード紙片付印刷物１の平面図である。
【図１７】図１３に示す接着部分を横長・縦長の長方形としたカード紙片付印刷物１の平面図である。
【図１８】図１３に示す接着部分を正方形のドッド列としたカード紙片付印刷物１の平面図である。
【図１９】カード紙片付印刷物１の左右側面部を開いた状態の平面図である。
【図２０】図１９の開いた状態のカード紙片付印刷物１を正面から見た状態を模式的に表した説明図である。
【図２１】中央面部１１ａからカード紙片１４を取り出した状態を示した斜視図である。
【図２２】印刷された用紙に切断、接着剤塗布、打抜き等の加工を施すための紙加工装置の概略構成図である。
【図２３】カード紙片付印刷物１を製造するに際し、連続する１枚の用紙に施す加工の種類と位置を表した説明図である。
【図２４】本発明の第２実施形態のカード紙片付印刷物の平面図である。
【図２５】図２４のカード紙片付印刷物を正面から見た状態を模式的に表した説明図である。
【図２６】図２４のカード紙片付印刷物の底面図である。
【図２７】図２４のＸ２−Ｘ２断面図である。
【図２８】左側面部２１ｂと右側面部２１ｃを開いて広げた状態のカード紙片付印刷物２の平面図である。
【図２９】左側面部２１ｂ、右側面部２１ｃと、中央面部２１ａ、カード紙片２４との第２の接着層２６による接着部分のパターンの第１例を示したカード紙片付印刷物２の平面図である。
【図３０】左側面部２１ｂ、右側面部２１ｃと、中央面部２１ａ、カード紙片２４との第２の接着層２６による接着部分のパターンの第２例を示したカード紙片付印刷物２の平面図である。
【図３１】左側面部２１ｂ、右側面部２１ｃと、中央面部２１ａ、カード紙片２４との第２の接着層２６による接着部分のパターンの第３例を示したカード紙片付印刷物２の平面図である。
【図３２】カード紙片付印刷物２の左右側面部を開いた状態の平面図である。
【図３３】図３２の開いた状態のカード紙片付印刷物２を正面から見た状態を模式的に表した説明図である。
【図３４】中央面部２１ａ（貼り合せ部分２３）からカード紙片２４を取り出した状態を示した斜視図である。
【図３５】カード紙片付印刷物２を製造するに際し、連続する１枚の用紙に施す加工の種類と位置を表した説明図である。
【図３６】本発明の実施例であるカード紙片付印刷物の平面図である。
【図３７】本発明の実施例のカード紙片付印刷物であって、左側面部と右側面部を開いた状態のカード紙片付印刷物の平面図である。
【図３８】カード紙片付印刷物２００のサンプルＡの平面図である。
【図３９】サンプルＡの左右側面部を開いた状態の平面図である。
【図４０】カード紙片付印刷物２００のサンプルＢの平面図である。
【図４１】サンプルＢの左右側面部を開いた状態の平面図である。
【図４２】カード紙片付印刷物２００のサンプルＣの平面図である。
【図４３】サンプルＣの左右側面部を開いた状態の平面図である。
【図４４】カード紙片付印刷物２００のサンプルＤの平面図である。
【図４５】サンプルＤの左右側面部を開いた状態の平面図である。
【図４６】カード紙片付印刷物２００のサンプルＥの平面図である。
【図４７】サンプルＥの左右側面部を開いた状態の平面図である。
【図４８】カード紙片付印刷物２００のサンプルＦの平面図である。
【図４９】サンプルＦの左右側面部を開いた状態の平面図である。
【図５０】カード紙片付印刷物２００のサンプルＧの平面図である。
【図５１】サンプルＧの左右側面部を開いた状態の平面図である。
【図５２】カード紙片付印刷物２００のサンプルＨの平面図である。
【図５３】サンプルＨの左右側面部を開いた状態の平面図である。
【図５４】カード紙片付印刷物２００のサンプルＩの平面図である。
【図５５】サンプルＩの左右側面部を開いた状態の平面図である。
【発明を実施するための形態】
【００３５】
［第１実施形態のカード紙片付印刷物の構成］
図１は、本発明の第１実施形態のカード紙片付印刷物の平面図、図２は、図１のカード紙片付印刷物を正面から見た状態を模式的に表した説明図、図３は、図１のカード紙片付印刷物の底面図、図４は、図１のＸ１−Ｘ１断面図である。
図中、１はカード紙片付印刷物、１１は第１の用紙、１１ａは中央面部、１１ｂは左側面部、１１ｃは右側面部、１２は第２の用紙、１３は第１の用紙１１に第２の用紙１２を貼り合わせた貼り合せ部分、１４はカード紙片、１４ｋは切り込み、１５は第１の接着剤層、１６（１６ａ、１６ｂ、１６ｃ、１６ｄ）は第２の接着剤層である。
図１〜図４に示すように、カード紙片付印刷物１は、中央面部１１ａとその両側ある左側面部１１ｂと右側面部１１ｃからなる第１の用紙１１と、第１の用紙１１の中央面部１１ａに、中央面部１１ａより左右方向の幅の狭い第２の用紙１２が第１の接着剤層１５を介して貼り合わされて貼り合せ部分１３が形成され、左側面部１１ｂと右側面部１１ｃが中央面部１１ａと貼り合せ部分１３に折り重ねられて第２の接着剤層１６を介して貼り合わされている。
貼り合せ部分１３においては、第１の用紙１１（中央面部１１ａ）と第２の用紙１２の両方が打抜かれて形成された切り込み１４ｋによりカード紙片１４が形成されている。
そして、カード紙片付印刷物１は、左右上下対称であり、左側面部１１ｂと右側面部１１ｃの左右方向の長さ（幅）は等しく、カード紙片１４は中央面部１１ａの中心位置に設けられている。
また、左右方向において、左側面部１１ｂとカード紙片１４の重なり部分の長さ（幅）と、右側面部１１ｃとカード紙片１４の重なり部分の長さ（幅）も等しい。
【００３６】
［貼り合せ部分１３、第１の接着剤層１５］
第１の接着剤層１５は、非剥離性の第１接着剤からなる接着層であり、第２の用紙１２の全面に形成され、これにより、第２の用紙の全面が第１の用紙１１の中央面部１１ａに剥離不能に接着され、貼り合せ部分１３が形成される。
貼り合せ部分１３は、カード紙片１４にカードとしての剛性をもたせるためのものであり、薄くて剛性が小さい第１の用紙１１と第２の用紙１２を貼り合せることにより、カード紙片１４を形成する貼り合せ部分１３に剛性をもたせている。
そして、貼り合せ部分１３は、中央面部１１ａの全面に設ける必要はなく、その横幅、すなわち、第２の用紙１２の左右方向の幅は、中央面部１１ａの左右方向の幅より小さくてよく、第１カード紙片１４の左右方向の幅より大きければよい。
なお、第１の用紙１１が厚くてカードとして使用できるだけの剛性を備えている場合は、貼り合せ部分１３は不要となり、第１の用紙１１の中央面部１１ａにカード紙片１４が形成される。
【００３７】
［第２の接着剤層１６］
第２の接着剤層１６は、容易に剥離可能で通常の状態では再接着しない第２接着剤からなる擬似接着層である。この第２の接着剤層１６は、左側面部１１ｂと右側面部１１ｃを、貼り合せ部分１３を含む中央面部１１ａとカード紙片１４に部分的に擬似接着させるものである。
図４においては、左側面部１１ｂと貼り合せ部分１３とが、第２の接着剤層１６ａ、１６ｂを介して接着され、左側面部１１ｂとカード紙片１４とが、第２の接着剤層１６ｃ、１６ｄを介して接着されている。
そして、第２の接着剤層１６、すなわち、左側面部１１ｂと右側面部１１ｃと、中央面部１１ａ（貼り合せ部分１３を含む）とカード紙片１４の接着部分は、後述するように種々のパターンをとることができる。
【００３８】
［中央面部１１ａとカード紙片１４の領域］
最初に、中央面部１１ａ（貼り合せ部分１３を含む）とカード紙片１４の領域について説明する。
図５は、左側面部１１ｂと右側面部１１ｃを開いて広げた状態のカード紙片付印刷物１の平面図であり、図において、１１ａ１は中央面部１１ａの上縁、１１ａ２は中央面部１１ａの下縁、１４ａはカード紙片１４の上縁、１４ｂはカード紙片１４の下縁、１４ｃはカード紙片１４の左側の側縁、１４ｄはカード紙片１４の右側の側縁、Ｒ３１〜Ｒ３６、Ｒ４１〜Ｒ４４は領域、ｆ１１、ｆ１２は折り線である。
図５に示すように、左側面部１１ｂと右側面部１１ｃは、折り線ｆ１１、ｆ１２を介して、中央面部１１ａから広げられ、中央面部１１ａ（貼り合せ部分１３）の中央部分には、カード紙片１４が形成され、その周縁（上縁１４ａ、下縁１４ｂ、側縁１４ｃ、１４ｄ）は、切り込み１４ｋにより、中央面部１１ａ（貼り合せ部分１３）と仕切られている。
そして、中央面部１１ａ（貼り合せ部分１３を含む）の上縁１１ａ１からその内側に少し入った部分までの濃い網点で示す領域Ｒ３１が、中央面部１１ａの上端部となり、中央面部１１ａ（貼り合せ部分１３を含む）の下縁１１ａ２からその内側に少し入った部分までの濃い網点で示す領域Ｒ３２が、中央面部１１ａの下端部となる。
また、カード紙片１４の上縁１４ａからその内側に少し入った部分までの濃い網点で示す領域Ｒ３３が、カード紙片１４の上部となり、カード紙片１４の下縁１４ｂからその内側に少し入った部分までの濃い網点で示す領域Ｒ３４が、カード紙片１４の下部となり、カード紙片１４の左側部側縁１４ｃからその内側に少し入った部分までの濃い網点で示す領域Ｒ３５が、カード紙片１４の左側部周縁の内側近傍となり、カード紙片１４の右側部側縁１４ｄからその内側に少し入った部分までの濃い網点で示す領域Ｒ３６が、カード紙片１４の右側部周縁の内側近傍となる。
さらに、カード紙片１４の上縁１４ａからその外側に少し出た部分までの薄い網点で示す領域Ｒ４１が、カード紙片１４の外側上部近傍となり、カード紙片１４の下縁１４ｂからその外側に少し出た部分までの薄い網点で示す領域Ｒ４２が、カード紙片１４の外側下部近傍となり、カード紙片１４の左側の側縁１４ｃからその外側に少し出た部分までの薄い網点で示す領域Ｒ４３が、カード紙片１４の外側左側部近傍となり、カード紙片１４の右側の側縁１４ｄからその外側に少し出た部分までの薄い網点で示す領域Ｒ４４が、カード紙片１４の外側右側部近傍となり、これらの領域Ｒ４１〜Ｒ４４がカード紙片１４の周縁の外側近傍となる。
【００３９】
［接着（擬似接着）部分の位置とカード紙片１４の剥がれやすさの関係］
ここで、左側面部１１ｂ、右側面部１１ｃと、中央面部１１ａ（貼り合せ部分１３を含む）、カード紙片１４との第２の接着層１６による接着（擬似接着）部分の位置と、左右側面部１１ｂ、１１ｃを中央面部１１ａから開くときのカード紙片１４の剥がれやすさの関係について説明する。
図６は、カード紙片１４の周縁の外側近傍において中央面部１１ａと左右側面部１１ｂ、１１ｃを接着しない状態のカード紙片付印刷物１の平面図、図７は、図６に示すカード紙片付印刷物１において右側面部１１ｃを開いた状態の平面図、図８は、図７に示すカード紙片付印刷物１において左側面部を開く場合にカード紙片１４に作用する力等を説明する説明図である。
図において、斜線で示すＳ１〜Ｓ１０は、左右側面部１１ｂ、１１ｃと中央面部１１ａ、カード紙片１４の接着部分、１４ｗは中央面部１１ａからカード紙片１４を打ち抜いた後に中央面部１１ａに形成される切り込み枠、１１ｂｘは左側面部の右下隅部であり、貼り合わせ部分１３の図示は省略する。
図６に示すように、カード紙片付印刷物１の中央面部１１ａの上端部と下端部において、接着部分Ｓ１、Ｓ２、Ｓ６、Ｓ７で、中央面部１１ａと左右側面部１１ｂ、１１ｃが接着され、カード紙片１４の上部・下部と左右側部周縁の内側近傍において、接着部分Ｓ３〜Ｓ５、Ｓ８〜Ｓ１０で、左右側面部１１ｂ、１１ｃとカード紙片１４が接着され、カード紙片１４の周縁の外側近傍において中央面部１１ａと左右側面部１１ｂ、１１ｃを接着されていない。
図６に示すカード紙片付印刷物１において、右側面部１１ｃを開くと、接着部分Ｓ６〜Ｓ１０で右側面部１１ｃが中央面部１１ａとカード紙片１４から剥がれ、図７に示すように、左側面部１１ｂだけが接着部分Ｓ１〜Ｓ５で中央面部１１ａとカード紙片１４に接着された状態となる。
【００４０】
図７に示すカード紙片付印刷物１において、左側面部１１ｂの右下隅部１１ｂｘを指で摘んで左側面部１１ｂを開くと、左側面部１１ｂは、接着部分Ｓ２、Ｓ４において中央面部１１ａとカード紙片１４から剥がれ、接着部分Ｓ４での接着が剥がれると、図８に示すように、左側面部１１ｂは、接着部分Ｓ３、Ｓ５でカード紙片１４と接着している状態となる。
この状態でさらに左側面部１１ｂを開くと、左側面部１１ｂの右下隅部１１ｂｘには矢印Ｆ１で示す力が作用するが、左側面部１１ｂは接着部分Ｓ３、Ｓ５でカード紙片１４と接着し、カード紙片１４の外側近傍で左側面部１１と中央面部１１ａが接着していないため、左側面部１１ｂがカード紙片１４を切り込み枠１４ｗから持ち上げると共に、カード紙片１４には、矢印Ｆ２で示すように左斜め上方向に少しひねるような力が作用し、カード紙片１４は、切り込み枠１４ｗに対して矢印Ｇ１、Ｇ２に方向にずれようとする。
これにより、カード紙片１４は、切り込み枠１４ｗに対してずれようとしながら持ち上げられること、すなわち、切り込み枠１４ｗに引っかかって、あるいは、ひっかかったのと同じような状態となって持ち上げられることとなる。
そして、左側面部１１ｂを開いていくと、接着部分Ｓ１で中央面部１１ａから左側面部１１ｂが剥がれると共に、カード紙片１４は、接着部分Ｓ３、Ｓ５において、左側面部１１ｂから剥がれるか剥がれやすい状態となる。
したがって、図６に示すカード紙片付印刷物１においては、カード紙片１４の周縁の外側近傍において中央面部１１ａと左右側面部１１ｂ、１１ｃが接着されていないため、左右側面部１１ｂ、１１ｃを開くと、カード紙片１４は後から開く左側面部１１ｂに付着せずに左側面部１１ｂから剥がれるか、左側面部１１ｂにカード紙片１４が付着しても、カード紙片１４は左側面部１１ｂから剥がれやすい状態となる。
【００４１】
図９は、カード紙片１４の周縁の外側近傍において中央面部１１ａと左右側面部１１ｂ、１１ｃを接着した状態のカード紙片付印刷物１の平面図、図１０は、図９に示すカード紙片付印刷物１において右側面部１１ｃを開いた状態の平面図、図１１は、図１０に示すカード紙片付印刷物１において左側面部を開く場合にカード紙片１４に作用する力等を説明する説明図である。
図において、斜線で示すＳ１１〜Ｓ２２は、左右側面部１１ｂ、１１ｃと中央面部１１ａ、カード紙片１４の接着部分であり、貼り合わせ部分１３の図示は省略する。
図９に示すように、カード紙片１４の周縁の外側近傍において、接着部分Ｓ１１〜Ｓ１３、Ｓ１７〜Ｓ１９で、中央面部１１ａと左右側面部１１ｂ、１１ｃが接着され、カード紙片１４の上部・下部と左右側部周縁の内側近傍において、接着部分Ｓ１４〜Ｓ１６、Ｓ２０〜Ｓ２１で、左右側面部１１ｂ、１１ｃとカード紙片１４が接着されている。
図９に示すカード紙片付印刷物１において、右側面部１１ｃを開くと、接着部分Ｓ１７〜Ｓ２２で右側面部１１ｃが中央面部１１ａとカード紙片１４から剥がれ、図１０に示すように、左側面部１１ｂだけが接着部分Ｓ１１〜Ｓ１６で中央面部１１ａとカード紙片１４に接着された状態となる。
【００４２】
図１０に示すカード紙片付印刷物１において、左側面部１１ｂの右下隅部１１ｂｘを指で摘んで左側面部１１ｂを開くと、左側面部１１ｂは、接着部分Ｓ１２、Ｓ１５において中央面部１１ａとカード紙片１４から剥がれ、接着部分Ｓ１２での接着が剥がれると、図１１に示すように、左側面部１１ｂは、接着部分Ｓ３、Ｓ５でカード紙片１４と接着している状態となる。
この状態でさらに左側面部１１ｂを開くと、左側面部１１ｂは、カード紙片１４の外側近傍の接着部分Ｓ１１、Ｓ１３と、カード紙片１４の内側近傍の接着部分Ｓ１４、Ｓ１６でカード紙片１４と接着されているため、カード紙片１４は、中央面部１１ａに対して動くことができず、中央面部１１ａと一体となって動く。
このため、左側面部１１ｂの右下隅部１１ｂｘには図８の場合と同じ矢印Ｆ１で示す力が作用するが、左側面部１１ｂとカード紙片１４のＳ１４、Ｓ１６（カード紙片１４の左上部）には、図８の矢印Ｆ２で示すように左斜め上方向に少しひねるような力は作用せず、図１１に示すような矢印Ｆ３で示す左斜め上方向の力が作用し、カード紙片１４は、中央面部１１ａの切り込み枠１４ｗに対してずれようとはしない。
そして、左側面部１１ｂを開いていくと、カード紙片１４は、中央面部の切り込み枠１４ｗに対してずれようとせずに持ち上げられ、切り込み枠１４ｗに引っかかったり、あるいは、引っかかったのと同じ状態となったりして左側面部１１ｂから剥がれるか剥がれやすい状態になることはなく、左側面部１１ｂにカード紙片１４片が付着したまま、左側面部１１ｂが中央面部１１ａから剥がれることとなる。
したがって、図９に示すカード紙片付印刷物１においては、カード紙片１４の周縁の外側近傍において中央面部１１ａと左右側面部１１ｂ、１１ｃが接着されているため、左右側面部１１ｂ、１１ｃを開くと、カード紙片１４は後から開く左側面部１１ｂに完全に付着し、カード紙片１４が左側面部１１ｂから剥がれるか左側面部１１ｂから剥がれやすい状態となることはない。
【００４３】
［左側面部１１ｂ、右側面部１１ｃと中央面部１１ａ等の接着部分のパターン］
図１２〜図１６は、左側面部１１ｂ、右側面部１１ｃと、中央面部１１ａ（貼り合せ部分１３を含む）、カード紙片１４との第２の接着層１６による接着（擬似接着）部分のパターンの第１例〜第５例を示したカード紙片付印刷物１の平面図である。
図において、Ｐ３１ａ、Ｐ３１ｂ、Ｐ３２ａ、Ｐ３２ｂ、Ｐ３３ａ、Ｐ３３ｂ、Ｐ３４ａ、Ｐ３４ｂ、Ｐ３７、Ｐ３８、Ｐ３９は、中央面部１１ａ（貼り合せ部分１３を含む）とカード紙片１４における接着部分（領域）を示す部分、Ｑ３１ａ、Ｑ３１ｂ、Ｑ３２ａ、Ｑ３２ｂ、Ｑ３３ａ、Ｑ３３ｂ、Ｑ３４ａ、Ｑ３４ｂ、Ｑ３７、Ｑ３８、Ｑ３９は、左側面部１１ｂと右側面部１１ｃにおける接着部分（領域）を示す部分、Ｑ３５、Ｑ３６、Ｑ４１ａ、Ｑ４１ｂ、Ｑ４２ａ、Ｑ４２ｂ、Ｑ４３、Ｑ４４は、左側面部１１ｂと右側面部１１ｃにおける領域である。
なお、図において、左右側面部１１ｂ、１１ｃに一点鎖線で示すコの字または逆コの字の枠は、左右側面部１１ｂ、１１ｃが中央面部１１ａに折り重ねられた場合におけるカード紙片１４の周縁（上縁１４ａ、下縁１４ｂ、側縁１４ｃ、１４ｄ）の位置を表している。
【００４４】
図１２に示す接着部分のパターン第１例においては、中央面部１１ａの上端部である領域Ｒ３１の左半分に含まれて２列の円形ドット列からなる横長帯状の部分Ｐ３１ａと、これと重なり合う左側面部１１ｂの部分Ｑ３１ａが接着され、領域Ｒ３１の右半分に含まれて２列の円形ドット列からなる横長帯状の部分Ｐ３１ｂと、これと重なり合う右側面部１１ｃの部分Ｑ３１ｂが接着され、中央面部１１ａの下端部である領域Ｒ３２の左半分に含まれて２列の円形ドット列からなる横長帯状の部分Ｐ３２ａと、これと重なり合う左側面部１１ｂの部分Ｑ３２ａが接着され、領域Ｒ３２の右半分に含まれて２列の円形ドット列からなる横長帯状の部分Ｐ３２ｂと、これと重なり合う右側面部１１ｃの部分Ｑ３２ｂが接着されている。
これにより、左側面部１１ｂと右側面部１１ｃが中央面部１１ａから剥がれることなく、カード紙片付印刷物１を連続的に製造でき、製造したカード紙片付印刷物１を運搬・輸送等しているときに、左側面部１１ｂや右側面部１１ｃが中央面部１１ａから剥がれるという事故を防止できる。
一方、これらの部分Ｐ３１ａ、Ｐ３１ｂ、Ｐ３２ａ、Ｐ３２ｂ、Ｑ３１ａ、Ｑ３１ｂ、Ｑ３２ａ、Ｑ３２ｂ以外の部分において、左側面部１１ｂ、右側面部１１ｃと中央面部１１ａ（貼り合せ部分１３を含む）は接着されていない。
すなわち、少なくとも、中央面部１１ａにおけるカード紙片１４の周縁（上縁１４ａ、下縁１４ｂ、側縁１４ｃ、１４ｄ）の外側近傍となる領域Ｒ４１、Ｒ４２、Ｒ４３、Ｒ４４と、これに重なる左側面部１１ｂ、右側面部１１ｃの領域Ｑ４１ａ、Ｑ４１ｂ、Ｑ４２ａ、Ｑ４２ｂ、Ｑ４３、Ｑ４４は接着されていない。
これにより、中央面部１１ａから左側面部１１ｂと右側面部１１ｃを開くと、カード紙片１４が、後から開く左側面部１１ｂあるいは右側面部１１ｃからも剥がれるか剥がれやすくなって、カード紙片１４を容易に取り出すことができる。
【００４５】
次に、図１２に示す接着部分のパターン第１例においては、カード紙片１４の上部である領域Ｒ３３の左半分に含まれて４個の円形ドット列からなる横長帯状の部分Ｐ３３ａと、これと重なり合う左側面部１１ｂの部分Ｑ３３ａが接着され、領域Ｒ３３の右半分に含まれて４個の円形ドット列からなる横長帯状の部分Ｐ３３ｂと、これと重なり合う右側面部１１ｃの部分Ｑ３３ｂが接着され、カード紙片１４の下部である領域Ｒ３４の左半分に含まれて４個の円形ドット列からなる横長帯状の部分Ｐ３４ａと、これと重なり合う左側面部１１ｂの部分Ｑ３４ａが接着され、領域Ｒ３４の右半分に含まれて４個の円形ドット列からなる横長帯状の部分Ｐ３４ｂと、これと重なり合う右側面部１１ｃの部分Ｑ３４ｂが接着されている。
また、カード紙片１４の領域Ｒ３３とＲ３４に挟まれた部分であって、領域Ｒ３６の内側にある８個の円形ドット列からなる縦長帯状の部分Ｐ３７と、これと重なり合う右側面部１１ｃの部分Ｑ３７が接着されている。
これにより、カード紙片１４が左側面部１１ｂと右側面部１１ｃから脱落することなく、カード紙片付印刷物１を連続的に製造でき、製造したカード紙片付印刷物１を運搬・輸送等しているときに、カード紙片１４が左側面部１１ｂと右側面部１１ｃから脱落するという事故を防止できる。
一方、これらの部分Ｐ３３ａ、Ｐ３３ｂ、Ｐ３４ａ、Ｐ３４ｂ、Ｐ３７、Ｑ３３ａ、Ｑ３３ｂ、Ｑ３４ａ、Ｑ３４ｂ、Ｑ３７以外の部分において、左側面部１１ｂ、右側面部１１ｃとカード紙片１４は接着されていない。
すなわち、少なくとも、カード紙片１４の左側部周縁の内側近傍となる領域Ｒ３５、カード紙片１４の右側部周縁の内側近傍となる領域Ｒ３６と、これに重なる左側面部１１ｂの領域Ｑ３５、右側面部１１ｃの領域Ｑ３６は接着されていない。
これにより、カード紙片１４の左右側部周縁の内側近傍が左側面部１１ｂ、右側面部１１ｃと密着せず、左側面部１１ｂ、右側面部１１ｃを中央面部１１ａから開かなくても、カード紙片１４の左右側部周縁の内側近傍を持ち上げて、カード紙片１４を容易に左側面部１１ｂと右側面部１１ｃから剥がして取り出すことができる。
【００４６】
図１３に示す接着部分のパターン第２例においては、中央面部１１ａと左側面部１１ｂ、右側面部１１ｃの接着部分、非接着部分は、図１２の第１例と同じである。
すなわち、中央面部１１ａの部分Ｐ３１ａ、Ｐ３２ａと、これと重なり合う左側面部１１ｂの部分Ｑ３１ａ、Ｑ３２ａが接着され、中央面部１１ａの部分Ｐ３１ｂ、Ｐ３２ｂと、これと重なり合う右側面部１１ｃの部分Ｑ３１ｂ、Ｑ３２ｂが接着されており、これにより、カード紙片付印刷物１の製造時や運搬・輸送時等に、左側面部１１ｂや右側面部１１ｃが中央面部１１ａから剥がれることが防止される。
また、  少なくとも、中央面部１１ａにおけるカード紙片１４の周縁の外側近傍となる領域Ｒ４１、Ｒ４２、Ｒ４３、Ｒ４４と、これに重なる左側面部１１ｂ、右側面部１１ｃの領域Ｑ４１ａ、Ｑ４１ｂ、Ｑ４２ａ、Ｑ４２ｂ、Ｑ４３、Ｑ４４は接着されておらず、中央面部１１ａから左側面部１１ｂと右側面部１１ｃを開くと、カード紙片１４が、後から開く左側面部１１ｂあるいは右側面部１１ｃからも剥がれるか剥がれやすくなって、カード紙片１４を容易に取り出すことができる。
次に、図１３の第２例においては、図１２の第１例と同様に、カード紙片１４の部分Ｐ３３ａ、Ｐ３４ａと、これと重なり合う左側面部１１ｂの部分Ｑ３３ａ、Ｑ３４ａが接着され、カード紙片１４の部分Ｐ３３ｂ、Ｐ３４ｂ、Ｐ３７と、これと重なり合う右側面部１１ｃの部分Ｑ３３ｂ、Ｑ３４ｂ、Ｑ３７が接着されているが、第１例と異なり、さらに、カード紙片１４の領域Ｒ３３とＲ３４に挟まれた部分であって部分Ｐ３７より内側にあり、８個の円形ドット列からなる縦長帯状の部分Ｐ３８と、これと重なり合う右側面部１１ｃの部分Ｑ３８が接着されている。
これにより、図１２の第１例と同様に、カード紙片付印刷物１の製造時や運搬・輸送時等に、カード紙片１４が左側面部１１ｂと右側面部１１ｃから脱落することが防止される。
一方、これらの部分Ｐ３３ａ、Ｐ３３ｂ、Ｐ３４ａ、Ｐ３４ｂ、Ｑ３３ａ、Ｑ３３ｂ、Ｑ３４ａ、Ｑ３４ｂ、Ｐ３７、Ｐ３８、Ｑ３７、Ｑ３８以外の部分において、左側面部１１ｂ、右側面部１１ｃとカード紙片１４は接着されていない。
すなわち、少なくとも、カード紙片１４の左右側部周縁の内側近傍となる領域Ｒ３５、Ｒ３６と、これに重なる左右側面部１１ｂ、１１ｃの領域Ｑ３５、Ｑ３６は接着されていない。
これにより、カード紙片１４の左右側部周縁の内側近傍が左側面部１１ｂ、右側面部１１ｃと密着せず、左側面部１１ｂ、右側面部１１ｃを中央面部１１ａから開かなくても、カード紙片１４の左右側部周縁の内側近傍を持ち上げて、カード紙片１４を容易に左側面部１１ｂと右側面部１１ｃから剥がして取り出すことができる。
【００４７】
図１４に示す接着部分のパターン第３例においては、中央面部１１ａと左側面部１１ｂ、右側面部１１ｃの接着部分、非接着部分は、図１２の第１例と同じである。
すなわち、中央面部１１ａの部分Ｐ３１ａ、Ｐ３２ａと、これと重なり合う左側面部１１ｂの部分Ｑ３１ａ、Ｑ３２ａが接着され、中央面部１１ａの部分Ｐ３１ｂ、Ｐ３２ｂと、これと重なり合う右側面部１１ｃの部分Ｑ３１ｂ、Ｑ３２ｂが接着されており、これにより、カード紙片付印刷物１の製造時や運搬・輸送時等に、左側面部１１ｂや右側面部１１ｃが中央面部１１ａから剥がれることが防止される。
また、  少なくとも、中央面部１１ａにおけるカード紙片１４の周縁の外側近傍となる領域Ｒ４１、Ｒ４２、Ｒ４３、Ｒ４４と、これに重なる左側面部１１ｂ、右側面部１１ｃの領域Ｑ４１ａ、Ｑ４１ｂ、Ｑ４２ａ、Ｑ４２ｂ、Ｑ４３、Ｑ４４は接着されておらず、中央面部１１ａから左側面部１１ｂと右側面部１１ｃを開くと、カード紙片１４が、後から開く左側面部１１ｂあるいは右側面部１１ｃからも剥がれるか剥がれやすくなって、カード紙片１４を容易に取り出すことができる。
次に、図１４の第３例においては、図６の第１例と同様に、カード紙片１４の部分Ｐ３３ａ、Ｐ３４ａと、これと重なり合う左側面部１１ｂの部分Ｑ３３ａ、Ｑ３４ａが接着され、カード紙片１４の部分Ｐ３３ｂ、Ｐ３４ｂ、Ｐ３７と、これと重なり合う右側面部１１ｃの部分Ｑ３３ｂ、Ｑ３４ｂ、Ｑ３７が接着されているが、第１例と異なり、さらに、カード紙片１４の領域Ｒ３３とＲ３４に挟まれた部分であって領域Ｒ３５の内側にある８個の円形ドット列からなる縦長帯状の部分Ｐ３９と、これと重なり合う右側面部１１ｃの部分Ｑ３９が接着されている。
これにより、図１２の第１例と同様に、カード紙片付印刷物１の製造時や運搬・輸送時等に、カード紙片１４が左側面部１１ｂと右側面部１１ｃから脱落することが防止される。
一方、これらの部分Ｐ３３ａ、Ｐ３３ｂ、Ｐ３４ａ、Ｐ３４ｂ、Ｑ３３ａ、Ｑ３３ｂ、Ｑ３４ａ、Ｑ３４ｂ、Ｐ３７、Ｐ３９、Ｑ３７、Ｑ３９以外の部分において、左側面部１１ｂ、右側面部１１ｃとカード紙片１４は接着されていない。
すなわち、少なくとも、カード紙片１４の左右側部周縁の内側近傍となる領域Ｒ３５、Ｒ３６と、これに重なる左右側面部１１ｂ、１１ｃの領域Ｑ３５、Ｑ３６は接着されていない。
これにより、カード紙片１４の左右側部周縁の内側近傍が左側面部１１ｂ、右側面部１１ｃと密着せず、左側面部１１ｂ、右側面部１１ｃを中央面部１１ａから開かなくても、カード紙片１４の左右側部周縁の内側近傍を持ち上げて、カード紙片１４を容易に左側面部１１ｂと右側面部１１ｃから剥がして取り出すことができる。
【００４８】
図１５に示す接着部分のパターン第４例においては、中央面部１１ａと左側面部１１ｂ、右側面部１１ｃの接着部分、非接着部分は、図１２の第１例と同じである。
すなわち、中央面部１１ａの部分Ｐ３１ａ、Ｐ３２ａと、これと重なり合う左側面部１１ｂの部分Ｑ３１ａ、Ｑ３２ａが接着され、中央面部１１ａの部分Ｐ３１ｂ、Ｐ３２ｂと、これと重なり合う右側面部１１ｃの部分Ｑ３１ｂ、Ｑ３２ｂが接着されており、これにより、カード紙片付印刷物１の製造時や運搬・輸送時等に、左側面部１１ｂや右側面部１１ｃが中央面部１１ａから剥がれることが防止される。
また、  少なくとも、中央面部１１ａにおけるカード紙片１４の周縁の外側近傍となる領域Ｒ４１、Ｒ４２、Ｒ４３、Ｒ４４と、これに重なる左側面部１１ｂ、右側面部１１ｃの領域Ｑ４１ａ、Ｑ４１ｂ、Ｑ４２ａ、Ｑ４２ｂ、Ｑ４３、Ｑ４４は接着されておらず、中央面部１１ａから左側面部１１ｂと右側面部１１ｃを開くと、カード紙片１４が、後から開く左側面部１１ｂあるいは右側面部１１ｃからも剥がれるか剥がれやすくなって、カード紙片１４を容易に取り出すことができる。
次に、図１５の第４例においては、図１２の第１例と同様に、カード紙片１４の部分Ｐ３３ａ、Ｐ３４ａと、これと重なり合う左側面部１１ｂの部分Ｑ３３ａ、Ｑ３４ａが接着され、カード紙片１４の部分Ｐ３３ｂ、Ｐ３４ｂ、Ｐ３７と、これと重なり合う右側面部１１ｃの部分Ｑ３３ｂ、Ｑ３４ｂ、Ｑ３７が接着されているが、第１例と異なり、さらに、カード紙片１４の領域Ｒ３３とＲ３４に挟まれた部分であって部分Ｐ３７より内側にある８個の円形ドット列からなる縦長帯状の部分Ｐ３８と、これと重なり合う右側面部１１ｃの部分Ｑ３８が接着され、カード紙片１４の領域Ｒ３３とＲ３４に挟まれた部分であって領域Ｒ３５の内側にある８個の円形ドット列からなる縦長帯状の部分Ｐ３９と、これと重なり合う右側面部１１ｃの部分Ｑ３９が接着されている。
これにより、図１２の第１例と同様に、カード紙片付印刷物１の製造時や運搬・輸送時等に、カード紙片１４が左側面部１１ｂと右側面部１１ｃから脱落することが防止される。
一方、これらの部分Ｐ３３ａ、Ｐ３３ｂ、Ｐ３４ａ、Ｐ３４ｂ、Ｑ３３ａ、Ｑ３３ｂ、Ｑ３４ａ、Ｑ３４ｂ、Ｐ３７、Ｐ３８、Ｐ３９、Ｑ３７、Ｑ３８、Ｑ３９以外の部分において、左側面部１１ｂ、右側面部１１ｃとカード紙片１４は接着されていない。
すなわち、少なくとも、カード紙片１４の左右側部周縁の内側近傍となる領域Ｒ３５、Ｒ３６と、これに重なる左右側面部１１ｂ、１１ｃの領域Ｑ３５、Ｑ３６は接着されていない。
これにより、カード紙片１４の左右側部周縁の内側近傍が左側面部１１ｂ、右側面部１１ｃと密着せず、左側面部１１ｂ、右側面部１１ｃを中央面部１１ａから開かなくても、カード紙片１４の左右側部周縁の内側近傍を持ち上げて、カード紙片１４を容易に左側面部１１ｂと右側面部１１ｃから剥がして取り出すことができる。
【００４９】
図１６に示す接着部分のパターン第５例においては、中央面部１１ａと左側面部１１ｂ、右側面部１１ｃの接着部分、非接着部分は、図１２の第１例と同じである。
すなわち、中央面部１１ａの部分Ｐ３１ａ、Ｐ３２ａと、これと重なり合う左側面部１１ｂの部分Ｑ３１ａ、Ｑ３２ａが接着され、中央面部１１ａの部分Ｐ３１ｂ、Ｐ３２ｂと、これと重なり合う右側面部１１ｃの部分Ｑ３１ｂ、Ｑ３２ｂが接着されており、これにより、カード紙片付印刷物１の製造時や運搬・輸送時等に、左側面部１１ｂや右側面部１１ｃが中央面部１１ａから剥がれることが防止される。
また、  少なくとも、中央面部１１ａにおけるカード紙片１４の周縁の外側近傍となる領域Ｒ４１、Ｒ４２、Ｒ４３、Ｒ４４と、これに重なる左側面部１１ｂ、右側面部１１ｃの領域Ｑ４１ａ、Ｑ４１ｂ、Ｑ４２ａ、Ｑ４２ｂ、Ｑ４３、Ｑ４４は接着されておらず、中央面部１１ａから左側面部１１ｂと右側面部１１ｃを開くと、カード紙片１４が、後から開く左側面部１１ｂあるいは右側面部１１ｃからも剥がれるか剥がれやすくなって、カード紙片１４を容易に取り出すことができる。
次に、図１６の第５例においては、図７の第２例と同様に、カード紙片１４の部分Ｐ３３ａ、Ｐ３４ａと、これと重なり合う左側面部１１ｂの部分Ｑ３３ａ、Ｑ３４ａが接着され、カード紙片１４の部分Ｐ３３ｂ、Ｐ３４ｂと、これと重なり合う右側面部１１ｃの部分Ｑ３３ｂ、Ｑ３４ｂが接着されているが、第２例と異なり、カード紙片１４の領域Ｒ３３とＲ３４に挟まれた部分には、第２例の部分Ｐ３７、Ｐ３８に代えて、５個の円形ドット列からなる縦長帯状の部分Ｐ３７’、Ｐ３８’と、これと重なり合う右側面部１１ｃの部分Ｑ３７’、Ｑ３８’が接着されている。
これにより、図１２の第１例と同様に、カード紙片付印刷物１の製造時や運搬・輸送時等に、カード紙片１４が左側面部１１ｂと右側面部１１ｃから脱落することが防止される。
一方、これらの部分Ｐ３３ａ、Ｐ３３ｂ、Ｐ３４ａ、Ｐ３４ｂ、Ｑ３３ａ、Ｑ３３ｂ、Ｑ３４ａ、Ｑ３４ｂ、Ｐ３７’、Ｐ３８’、Ｑ３７’、Ｑ３８’以外の部分において、左側面部１１ｂ、右側面部１１ｃとカード紙片１４は接着されていない。
すなわち、少なくとも、カード紙片１４の左右側部周縁の内側近傍となる領域Ｒ３５、Ｒ３６と、これに重なる左右側面部１１ｂ、１１ｃの領域Ｑ３５、Ｑ３６は接着されていない。
これにより、カード紙片１４の左右側部周縁の内側近傍が左側面部１１ｂ、右側面部１１ｃと密着せず、左側面部１１ｂ、右側面部１１ｃを中央面部１１ａから開かなくても、カード紙片１４の左右側部周縁の内側近傍を持ち上げて、カード紙片１４を容易に左側面部１１ｂと右側面部１１ｃから剥がして取り出すことができる。
【００５０】
［接着部分の形状］
図１２〜図１６に示す接着部分のパターンの第１例〜第５例においては、左側面部１１ｂ、右側面部１１ｃと、中央面部１１ａ、カード紙片１４との接着部分を表す部分Ｐ３１ａ、Ｐ３１ｂ、Ｐ３２ａ、Ｐ３２ｂ（Ｑ３１ａ、Ｑ３１ｂ、Ｑ３２ａ、Ｑ３２ｂ）は、２列の円形ドット列からなる横長帯状であり、Ｐ３３ａ、Ｐ３３ｂ、Ｐ３４ａ、Ｐ３４ｂ（、Ｑ３３ａ、Ｑ３３ｂ、Ｑ３４ａ、Ｑ３４ｂ）は、１列の円形ドット列からなる横長帯状であり、部分Ｐ３７、Ｐ３８、Ｐ３９、Ｐ３７’、Ｐ３８’（Ｑ３７、Ｑ３８、Ｑ３９、Ｑ３７’、Ｑ３８’）は、１列の円形ドット列からなる縦長帯状であるが、この接着部分の形状は、横長・縦長帯状の円形ドット列に限定されるものではなく、種々の形状をとることができる。
図１７、図１８は、図１３に示す接着部分を他の形状としたカード紙片付印刷物１の平面図である。
図１７においては、中央面部１１ａ（貼り合せ部分１３を含む）とカード紙片１４における接着部分は、横長の長方形あるいは縦長の長方形により形成されている。
すなわち、中央面部１１ａの上端部、下端部に形成された横長長方形状の（接着）部分Ｐ３１ｃ、Ｐ３１ｄ、Ｐ３２ｃ、Ｐ３２ｄと、これと重なり合う左側面部１１ｂの部分Ｑ３１ｃ、Ｑ３２ｃ、右側面部１１ｃの部分Ｑ３１ｄ、Ｑ３２ｄが接着される。
また、カード紙片１４の上部、下部に形成された横長長方形状の（接着）部分Ｐ３３ｃ、Ｐ３３ｄ、Ｐ３４ｃ、Ｐ３４ｄと、これと重なり合う左側面部１１ｂの部分Ｑ３３ｃ、Ｑ３４ｃ、右側面部１１ｃの部分Ｑ３３ｄ、Ｑ３４ｄが接着され、さらに、カード紙片１４の右側部分にある縦長長方形状（接着）部分Ｐ３７ａ、Ｐ３８ａと、これと重なり合う右側面部１１ｃの部分Ｑ３７ａ、Ｑ３８ａが接着される。
【００５１】
図１８においては、中央面部１１ａ（貼り合せ部分１３を含む）とカード紙片１４における接着部分は、正方形のドッド列により形成されている。
すなわち、中央面部１１ａの上端部、下端部に形成された横方向１列の正方形のドット列からなる（接着）部分Ｐ３１ｅ、Ｐ３１ｆ、Ｐ３２ｅ、Ｐ３２ｆと、これと重なり合う左側面部１１ｂの部分Ｑ３１ｅ、Ｑ３２ｅ、右側面部１１ｃの部分Ｑ３１ｆ、Ｑ３２ｆが接着される。
また、カード紙片１４の上部、下部に形成された横方向１列の正方形のドット列からなる（接着）部分Ｐ３３ｅ、Ｐ３３ｆ、Ｐ３４ｅ、Ｐ３４ｆと、これと重なり合う左側面部１１ｂの部分Ｑ３３ｅ、Ｑ３４ｅ、右側面部１１ｃの部分Ｑ３３ｆ、Ｑ３４ｆが接着され、さらに、カード紙片１４の右半分にある縦方向１列の正方形のドット列からなる（接着）部分Ｐ３７ｂ、Ｐ３８ｂと、これと重なり合う右側面部１１ｃの部分Ｑ３６ｂ、Ｑ３８ｂが接着される。
そして、円形あるいは正方形のドット列からなる接着部分においては、各ドットの大きさやドットの間隔を変えることにより接着面積を変更でき、長方形状の接着部分においては、縦横の長さを変えることによい接着面積を変更でき、いずれにおいても接着強度を容易に調整することができる。
【００５２】
［カード紙片付印刷物１の使用方法］
次に、カード紙片付印刷物１の使用方法について説明する。
図１９は、カード紙片付印刷物１の左右側面部を開いた状態の平面図、図２０は、図１９の開いた状態のカード紙片付印刷物１を正面から見た状態を模式的に表した説明図、図２１は、中央面部１１ａ（貼り合せ部分１３）からカード紙片１４を取り出した状態を示した斜視図であり、図中、１４ｈは中央面部１１ａに形成された開口部である。
カード紙片付印刷物１においては、第２の接着剤層１６（１６ａ、１６ｂ、１６ｃ、１６ｄ等）に剥離性があるため、左側面部１１ｂを中央面部１１ａ（貼り合せ部分１３を含む）から剥がして折り線ｆ１１に沿って折り返し、右側面部１１ｃを中央面部１１ａから剥がして折り線ｆ１２に沿って折り返すことにより、カード紙片付印刷物１を開くことができる。
このとき、図１２〜図１６に示すように、部分Ｐ３１ａ、Ｐ３１ｂ、Ｐ３２ａ、Ｐ３２ｂ、Ｑ３１ａ、Ｑ３１ｂ、Ｑ３２ａ、Ｑ３２ｂ以外の部分において、左側面部１１ｂ、右側面部１１ｃと中央面部１１ａ（貼り合せ部分１３を含む）は接着されていないため、左側面部１１ｂと右側面部１１ｃを中央面部１１ａから容易に剥がして開くことができる。
【００５３】
このようにして左側面部１１ｂと右側面部１１ｃを中央面部１１ａから剥がして開くと、カード紙片１４の周縁の外側近傍において中央面部１１ａと左右側面部１１ｂ、１１ｃが接着されていないため、左側面部１１ｂと右側面部１１ｃに第２の接着剤層１６を介して付着していたカード紙片１４は、後から開く左側面部１１ｂあるいは右側面部１１ｃからも剥がれて、図２１に示すように中央面部１１ａの切り込み枠１４ｗに残った状態となるか、または、後から開く左側面部１１ｂあるいは右側面部１１ｃにカード紙片１４が付着しても、カード紙片１４は左側面部１１ｂあるいは右側面部１１ｃから剥がれやすい状態となる。
これは、後から左側面部１１ｂを開くとすると、図８に示すように、カード紙片１４の左上隅部には、矢印Ｆ２で示すように左斜め上方向に少しひねるような力が作用し、カード紙片１４は、矢印Ｇ１、Ｇ２に方向にずれようとし、切り込み枠１４ｗに引っかかって、あるいは、引っかかったのと同じような状態となって持ち上げられるからである。
そして、切り込み枠１４ｗにカード紙片が残っている場合、カード紙片１４は、打ち抜かれて中央面部１１ａ（貼り合せ部分１３）の切り込み枠１４ｗから切り離されているため、図２１に示すように、切り込み枠１４ｗからカード紙片１４を容易に取り出すことができる。
仮に、後から開く左側面部１１ｂあるいは右側面部１１ｃにカード紙片１４が付着しても、カード紙片１４は左側面部１１ｂあるいは右側面部１１ｃから剥がれやすい状態となっているため、カード紙片１４を左側面部１１ｂあるいは右側面部１１ｃから容易に剥がして取り出すことができる。
このようにして取り出したカード紙片１４は、葉書、クーポン等のサービス券、チケット類、会員証等として使用することができる。
また、図１２〜図１６に示すように、少なくとも、カード紙片１４の左右側部周縁の内側近傍となる領域Ｒ３５、Ｒ３６と、これに重なる左右側面部１１ｂ、１１ｃの領域Ｑ３５、Ｑ３６は接着されていない。
これにより、カード紙片１４の左右側部周縁の内側近傍が左側面部１１ｂ、右側面部１１ｃと密着せず、左側面部１１ｂ、右側面部１１ｃを中央面部１１ａから開かなくても、カード紙片１４の左右側部周縁の内側近傍を持ち上げて、カード紙片１４を容易に左側面部１１ｂと右側面部１１ｃから剥がして取り出すことができる。
【００５４】
［カード紙片付印刷物１の製造方法］
次に、カード紙片付印刷物１の製造方法について説明する。
カード紙片付印刷物１は、連続する１枚の用紙に、印刷、切断、接着剤塗布、打抜き、折り、貼り合せ等の加工を施すことにより、製造することができる。
【００５５】
［紙加工装置］
最初に、カード紙片付印刷物１を製造するための紙加工装置について説明する。
図２２は、印刷された用紙に切断、接着剤塗布、打抜き等の加工を施すための紙加工装置の概略構成図であり、図において、１００は紙加工装置、１１０はスリッター部、１２０は第１糊付け部、１３０は貼り合せ部、１４０は第２糊付け部、１５０は折り・貼り合せ部、１６０は打抜き部、１７０は断裁部である。
また、図２３において、Ａは連続する用紙、ＡＲは用紙Ａを流れ方向（進行方向）に切断して形成される一方（右側）の用紙、ＡＬは用紙Ａを流れ方向（進行方向）に切断して形成される他方（左側）の用紙であり、用紙ＡＲは断裁部１７０での断裁後に第１の用紙１１となり、用紙ＡＬは断裁部１７０での断裁後に第２の用紙１２となる。
図２２に示すように、紙加工装置１００は、スリッター部１１０、第１糊付け部１２０、貼り合せ部１３０、第２糊付け部１４０、折り・貼り合せ部１５０、打抜き部１６０、断裁部１７０等より構成され、各部はこの順に直列に配置されている。
スリッター部１１０は、用紙Ａを流れ方向（進行方向）に切断する切断刃（図示せず）が取付けられた切断ローラー１１１、切断刃の受け部（図示せず）が取付けられた受けローラー１１２等を備えている。
第１糊付け部１２０は、非剥離性の第１接着剤ｇｌ１を用紙ＡＬに付着させる糊付けローラー１２２、糊付けローラー１２２に用紙ＡＬを押し付ける押付けローラー１２３、第１接着剤ｇｌ１を貯留する受け皿（パン）１２６、受け皿１２６にためられた第１接着剤ｇｌ１を糊付けローラー１２１に供給する供給ローラー１２４、１２５等を備えている。
貼り合せ部１３０は、用紙ＡＲと用紙ＡＬを挟み込んで圧着するための一対のニップローラー１３１、１３２等を備えている。
第２糊付け部１４０は、剥離性の第２接着剤ｇｌ２を用紙ＡＲに付着させる凸部がパターン状に形成された糊版１４１が取付けられた糊付けローラー１４２、糊付けローラー１４２に第１の用紙１８を押し付ける押付けローラー１４３、第２接着剤ｇｌ２を貯留する受け皿（パン）１４６、受け皿１４６にためられた接着剤ｇｌ２を糊付けローラー１４２の糊版１４１に供給する供給ローラー１４４、１４５等を備えている。
折り・貼り合せ部１５０は、用紙ＡＲを折り重ねるためのローラー（図示せず）、折り重ねられた用紙を圧着するための一対のニップローラー１５１、１５２等を備えている。
打抜き部１６０は、用紙ＡＲと用紙ＡＬの貼り合せ部分を所定の形状に打ち抜く打抜き刃１６１が取付けられた打抜きローラー１６２、打抜き刃１６１の受け部（図示せず）が取付けられた受けローラー１６３等を備えている。
断裁部１７０は、折り重ねられた用紙ＡＲ（用紙ＡＬを含む）を流れ方向（進行方向）と直角方向に断裁する断裁刃１７１が取付けられた断裁ローラー１７２、断裁刃１７１の受け部（図示せず）が取付けられた受けローラー１７３等を備えている。
また、紙加工装置１００は、上記の他、断裁部１７０で断裁された枚葉（シート状）の用紙を積層して排出する排出部（図示せず）を備えている。
なお、図２２において、１１３、１１４は、スリッター部１１０で切断されて形成された用紙ＡＲを貼り合せ部１３０に案内するガイドローラーである。
【００５６】
［用紙に施す加工の種類と位置］
図２３は、カード紙片付印刷物１を製造するに際し、連続する１枚の用紙に施す加工の種類と位置を表した説明図である。
図において、２点鎖線で示すＡｘ１は、用紙の縦方向（進行方向）の切断位置を示す切断予定線、２点鎖線で示すＡｙ１、Ａｙ２は、用紙の横方向（進行方向と直角方向）の切断位置を示す切断予定線、１点鎖線で示すＡｕ１は、打ち抜く位置を示す打ち抜き予定線、点線で示すＡｔ１、Ａｔ２は、縦方向の折り位置を示す縦折り予定線、網点で示すＡｒ１は、非剥離性の第１接着剤を塗布する領域を示す第１接着剤塗布予定領域、網点の円形ドットで示すＡｒ２１〜Ａｒ２４、Ａｒ２９、Ａｒ３１〜Ａｒ３４、Ａｒ３７、Ａｒ３８は、剥離性の第２接着剤を塗布する領域を示す第２接着剤塗布予定領域である。
ここで、切断予定線Ａｙ１とＡｙ２の間隔ｐ１が、カード紙片付印刷物１の縦方向の長さとなり、切断予定線Ａｙ１とＡｙ２で仕切られる領域から１枚のカード紙片付印刷物１が製造される。
そして、切断予定線Ａｙ１とＡｙ２で仕切られる領域のうち、切断予定線Ａｘ１と縦折り予定線Ａｔ１で仕切られる領域Ａ１が第１の用紙１１の左側面部１１ｂとなり、縦折り予定線Ａｔ１と縦折り予定線Ａｔ２で仕切られる領域Ａ２が第１の用紙１１（第２の用紙１２を第１の用紙１２に貼り合せた後の貼り貼り合せ部分１３を含む）の中央面部１１ａとなり、縦折り予定線Ａｔ２と用紙Ａの右端で仕切られる領域Ａ３が第１の用紙１１の右側面部１１ｃとなり、用紙Ａの左端と切断予定線Ａｘ１で仕切られる領域Ａ４が第２の用紙１２となり、縦折り予定線Ａｔ１、Ａｔ２は、折り線ｆ１１、ｆ１２となる。
【００５７】
［カード紙片付印刷物１の具体的な製造方法］
以下、カード紙片付印刷物１の製造方法を具体的に説明する。
まず、輪転印刷機（図示せず）の給紙部から巻取状の用紙Ａを繰り出し、その表裏面に所定の印刷を施す。
次いで、印刷された用紙Ａは、紙加工装置１００に送られ、スリッター部１１０において、切断ローラー１１１により切断予定線Ａｘ１で切断され、第１の用紙１１となる右側の用紙ＡＲ（領域Ａ１、Ａ２、Ａ３）と第２の用紙１２となる左側の用紙ＡＬ（領域Ａ４）に分割され、用紙ＡＬは第１糊付け部１２０に送られる。
第１糊付け部１２０においては、受け皿１２６にためられた被剥離性の第１接着剤ｇｌ１が供給ローラー１２４、１２５を介して糊付けローラー１２２に供給され、押付けローラー１２３により糊付けローラー１２２が用紙ＡＬの下面に押し付けられ、用紙ＡＬ（領域Ａ４）の下面全面の第１接着剤塗布予定領域Ａｒ１に第１接着剤ｇｌ１が塗布されて第１の接着剤層１５が形成され、第１接着剤ｇｌ１が塗布された用紙ＡＬは、貼り合せ部１３０に送られる。
一方、スリッター部１１０において切断された一方の用紙ＡＲは、ガイドローラー１１３、１１４等により、貼り合せ部１３０に送られる。
貼り合せ部１３０においては、用紙ＡＲの領域Ａ２の上面の一部に、第１接着剤ｇｌ１が塗布された用紙ＡＬの下面が重ねられ、一対のニップローラー１３１、１３２で用紙ＡＲと用紙ＡＬが挟まれて圧着され、用紙ＡＲに用紙ＡＬが貼り合わされて貼り合せ部分１３が形成される。このようにして用紙ＡＬが貼り合わされた用紙ＡＲは、第２糊付け部１４０に送られる。
【００５８】
第２糊付け部１４０においては、受け皿１４６にためられた剥離性の第２接着剤ｇｌ２が供給ローラー１２４、１２５を介して糊付けローラー１４２の糊版１４１に供給され、押付けローラー１４３により糊付けローラー１４２の糊版１４１が用紙ＡＬの上面に押し付けられることにより、第２接着剤ｇｌ２の塗布が行われる。
そして、用紙ＡＲ（第１の用紙１１）の領域Ａ１（左側面部１１ｂ）の第２接着剤塗布予定領域Ａｒ２１〜Ａｒ２４、Ａｒ２９と、用紙ＡＲの領域Ａ３（右側面部１１ｃ）の第２接着剤塗布予定領域Ａｒ３１〜Ａｒ３４、Ａｒ３７、Ａｒ３８に、剥離性の第２接着剤ｇｌ２が塗布され、第２の接着剤層１６が形成される。
この場合、第２接着剤塗布予定領域Ａｒ２１〜Ａｒ２４、Ａｒ２９は、図１２〜図１５に示す接着部分のパターン第１例〜第４例における部分Ｑ３１ａ、Ｑ３２ａ、Ｑ３３ａ、Ｑ３４ａ、Ｑ３９に相当し、第２接着剤塗布予定領域Ａｒ３１〜Ａｒ３４、Ａｒ３７、Ａｒ３８は、部分Ｑ３１ｂ、Ｑ３２ｂ、Ｑ３３ｂ、Ｑ３４ｂ、Ｑ３７、Ｑ３８に相当する。
よって、図１２の第１例のカード紙片付印刷物１の場合には、第２接着剤塗布予定領域Ａｒ２９、Ａｒ３８には、第２接着剤ｇｌ２が塗布されず、図１３の第２例のカード紙片付印刷物１の場合には、第２接着剤塗布予定領域Ａｒ２９には、第２接着剤ｇｌ２が塗布されず、図１４の第３例のカード紙片付印刷物１の場合には、第２接着剤塗布予定領域Ａｒ３８には、第２接着剤ｇｌ２が塗布されないこととなる。
また、図１６の第５例のカード紙片付印刷物１の場合には、第２接着剤塗布予定領域Ａｒ２９には第２接着剤ｇｌ２が塗布されず、第２接着剤塗布予定領域Ａｒ３７、Ａｒ３８の上半分に第２接着剤ｇｌ２が塗布される。
このようにして第２接着剤ｇｌ２が塗布された用紙ＡＲは、折り・貼り合せ部１５０に送られる。
【００５９】
折り・貼り合せ部１５０においては、ローラー（図示せず）等により、用紙ＡＲ（第１の用紙１１）の領域Ａ１（左側面部１１ｂ）が縦折り予定線Ａｔ１に沿って領域Ａ２（中央面部１１ａ）の左半分に折り重ねられ、用紙ＡＲ（第１の用紙１１）の領域Ａ３（右側面部１１ｃ）が縦折り予定線Ａｔ２に沿って領域Ａ２（中央面部１１ａ）の右半分に折り重ねられ、折り重ねられた用紙ＡＲ（折り重ね用紙ＡＲ）は、一対のニップローラー１５１、１５２で挟み込まれて圧着され、第２の接着剤層１６（第２接着剤ｇｌ２）で擬似接着される。このようにして領域Ａ１（左側面部１１ｂ）と領域Ａ３（右側面部１１ｃ）が領域Ａ２（中央面部１１ａ）に擬似接着された折り重ね用紙ＡＲは、打抜き部１６０に送られる。
打抜き部１６０においては、用紙ＡＲ（第１の用紙１１）の領域Ａ２（中央面部１１ａ）の用紙ＡＬ（第２の用紙１２）が貼り合わされた貼り合せ部分１３が、打ち抜き予定線Ａｕ１に沿って打ち抜かれ、カード紙片１４が形成される。この打ち抜きは、打抜き刃１６１が取付けられた打抜きローラー１６２と受けローラー１６３の間に貼り合せ部分１３を挟み込むことにより行われる。このようにして打ち抜かれた折り重ね用紙ＡＲは、断裁部１７０に送られる。
断裁部１７０においては、断裁刃１７１が取付けられた断裁ローラー１７２と受けローラー１７３の間に折り重ね用紙ＡＲが挟み込まれ、切断予定線Ａｙ１、Ａｙ２で折り重ね用紙ＡＲが断裁（切断）され、断裁された折り重ね用紙ＡＲは、カード紙片付印刷物１となる。
最後に、断裁されたカード紙片付印刷物１は、排出部（図示せず）に送られ、積層された状態で排出される。
上記のようにしてカード紙片付印刷物１が連続して製造される。
【００６０】
［第２実施形態のカード紙片付印刷物の構成］
図２４は、本発明の第２実施形態のカード紙片付印刷物の平面図、図２５は、図２４のカード紙片付印刷物を正面から見た状態を模式的に表した説明図、図２６は、図２４のカード紙片付印刷物の底面図、図２７は、図２４のＸ２−Ｘ２断面図である。
図中、２はカード紙片付印刷物、２１は第１の用紙、２１ａは中央面部、２１ｂは左側面部、２１ｃは右側面部、２２は第２の用紙、２３は第１の用紙２１に第２の用紙２２を貼り合わせた貼り合せ部分、２４はカード紙片、２４ｋは切り込み、２５は第１の接着剤層、２６（２６ａ、２６ｂ、２６ｃ、２６ｄ）は第２の接着剤層である。
図２４〜図２７に示すように、カード紙片付印刷物２は、カード紙片付印刷物１と同様に、中央面部２１ａとその両側ある左側面部２１ｂと右側面部２１ｃからなる第１の用紙２１と、第１の用紙２１の中央面部２１ａの右に偏った位置に、中央面部２１ａより左右方向の幅の狭い第２の用紙２２が第１の接着剤層２５を介して貼り合わされて貼り合せ部分２３が形成され、左側面部２１ｂと右側面部２１ｃが中央面部２１ａと貼り合せ部分１３に折り重ねられて第２の接着剤層２６を介して貼り合わされている。
貼り合せ部分２３においては、第１の用紙２１（中央面部２１ａ）と第２の用紙２２の両方が打抜かれて形成された切り込み２４ｋによりカード紙片２４が形成されている。
ここで、カード紙片付印刷物２は、カード紙片付印刷物１と異なり、上下対称左右非対称であり、左側面部２１ｂの左右方向の長さ（幅）は、右側面部２１ｃの左右方向の長さ（幅）より長く、カード紙片２４は中央面部２１ａの中心から右に偏った位置に設けられている。
また、左右方向において、左側面部２１ｂとカード紙片２４の重なり部分の長さ（幅）は、右側面部２１ｃとカード紙片２４の重なり部分の長さ（幅）より小さい。
【００６１】
［貼り合せ部分２３、第１の接着剤層２５］
第１の接着剤層２５は、カード紙片付印刷物１の第１の接着剤層１５と同じで、非剥離性の第１接着剤からなる接着層であり、第２の用紙１２の全面に形成され、これにより、第２の用紙１２の全面が第１の用紙１１の中央面部２１ａに剥離不能に接着され、貼り合せ部分２３が形成される。
貼り合せ部分２３は、カード紙片２４にカードとしての剛性をもたせるためのものであり、薄くて剛性が小さい第１の用紙２１と第２の用紙２２を貼り合せることにより、カード紙片２４を形成する貼り合せ部分２３に剛性をもたせている。
そして、貼り合せ部分２３は、中央面部２１ａの全面に設ける必要はなく、その横幅、すなわち、第２の用紙の左右方向の幅は、中央面部２１ａの左右方向の幅より小さくてよく、第１カード紙片２４の左右方向の幅より大きければよい。
なお、第１の用紙２１が厚くてカードとして使用できるだけの剛性を備えている場合は、貼り合せ部分２３は不要となり、第１の用紙２１の中央面部２１ａにカード紙片２４が形成される。
【００６２】
［第２の接着剤層２６］
第２の接着剤層２６は、カード紙片付印刷物１の第２の接着剤層１６と同じで、容易に剥離可能で通常の状態では再接着しない第２接着剤からなる擬似接着層である。この第２の接着剤層２６は、左側面部２１ｂと右側面部２１ｃを、貼り合せ部分２３を含む中央面部２１ａとカード紙片２４に部分的に擬似接着させるものである。
図２７においては、左側面部２１ｂと貼り合せ部分２３とが、第２の接着剤層２６ａ、２６ｂを介して接着され、左側面部２１ｂとカード紙片２４とが、第２の接着剤層２６ｃ、２６ｄを介して接着されている。
そして、第２の接着剤層２６、すなわち、左側面部２１ｂと右側面部２１ｃと、中央面部２１ａ（貼り合せ部分１３を含む）とカード紙片２４の接着部分は、カード紙片付印刷物１における中央面部１１ａとカード紙片１４の接着部分と同様に、種々のパターンをとることができる。
【００６３】
［中央面部２１ａとカード紙片２４の領域］
最初に、中央面部２１ａ（貼り合せ部分２３を含む）とカード紙片２４の領域について説明する。
図２８は、左側面部２１ｂと右側面部２１ｃを開いて広げた状態のカード紙片付印刷物２の平面図であり、図において、２１ａ１は中央面部２１ａの上縁、２１ａ２は中央面部２１ａの下縁、２４ａはカード紙片２４の上縁、２４ｂはカード紙片２４の下縁、２４ｃはカード紙片２４の左側の側縁、２４ｄはカード紙片２４の右側の側縁、Ｒ５１〜Ｒ５６、Ｒ６１〜Ｒ６４は領域、ｆ６１、ｆ６２は折り線である。
図２８に示すように、左側面部２１ｂと右側面部２１ｃは、折り線ｆ２１、ｆ２２を介して、中央面部２１ａから広げられ、中央面部２１ａ（貼り合せ部分２３）の中央部分には、カード紙片２４が形成され、その周縁（上縁２４ａ、下縁２４ｂ、側縁２４ｃ、２４ｄ）は、切り込み２４ｋにより、中央面部２１ａ（貼り合せ部分２３）と仕切られている。
そして、中央面部２１ａ（貼り合せ部分２３を含む）の上縁２１ａ１からその内側に少し入った部分までの濃い網点で示す領域Ｒ５１が、中央面部２１ａの上端部となり、中央面部２１ａ（貼り合せ部分２３を含む）の下縁２１ａ２からその内側に少し入った部分までの濃い網点で示す領域Ｒ５２が、中央面部２１ａの下端部となる。
また、カード紙片２４の上縁２４ａからその内側に少し入った部分までの濃い網点で示す領域Ｒ５３が、カード紙片２４の上部となり、カード紙片２４の下縁２４ｂからその内側に少し入った部分までの濃い網点で示す領域Ｒ５４が、カード紙片２４の下部となり、カード紙片２４の左側部側縁２４ｃからその内側に少し入った部分までの濃い網点で示す領域Ｒ５５が、カード紙片２４の左側部周縁の内側近傍となり、カード紙片２４の右側部側縁２４ｄからその内側に少し入った部分までの濃い網点で示す領域Ｒ５６が、カード紙片２４の右側部周縁の内側近傍となる。
さらに、カード紙片２４の上縁２４ａからその外側に少し出た部分までの薄い網点で示す領域Ｒ６１が、カード紙片２４の外側上部近傍となり、カード紙片２４の下縁２４ｂからその外側に少し出た部分までの薄い網点で示す領域Ｒ６２が、カード紙片２４の外側下部近傍となり、カード紙片２４の左側の側縁２４ｃからその外側に少し出た部分までの薄い網点で示す領域Ｒ６３が、カード紙片２４の外側左側部近傍となり、カード紙片２４の右側の側縁２４ｄからその外側に少し出た部分までの薄い網点で示す領域Ｒ６４が、カード紙片２４の外側右側部近傍となり、これらの領域Ｒ６１〜Ｒ６４がカード紙片２４の周縁の外側近傍となる。
【００６４】
［接着（擬似接着）部分の位置とカード紙片２４の剥がれやすさの関係］
カード紙片付印刷物２において、左側面部２１ｂ、右側面部２１ｃと、中央面部２１ａ（貼り合せ部分２３を含む）、カード紙片２４との第２の接着層２６による接着（擬似接着）部分の位置と、左右側面部２１ｂ、２１ｃを中央面部２１ａから開くときのカード紙片２４の剥がれやすさの関係は、図６や図９に示すカード紙片付印刷物１の場合と同じである。
すなわち、図６に示すカード紙片付印刷物１のように、カード紙片付印刷物２の中央面部２１ａの上端部と下端部において、中央面部２１ａと左右側面部２１ｂ、２１ｃが接着され、カード紙片２４の上部・下部と左右側部周縁の内側近傍において、左右側面部２１ｂ、２１ｃとカード紙片２４が接着され、カード紙片２４の周縁の外側近傍において中央面部２１ａと左右側面部２１ｂ、２１ｃを接着されていない場合、左右側面部２１ｂ、２１ｃを開くと、カード紙片２４は後から開く左側面部１１ｂあるいは右側面部２１ｃに付着せずに左側面部１１ｂあるいは右側面部２１ｃから剥がれるか、左側面部２１ｂあるいは右側面部２１ｃにカード紙片２４が付着しても、カード紙片２４は左側面部２１ｂあるいは右側面部２１ｃから剥がれやすい状態となる。
また、図９に示すカード紙片付印刷物１のように、カード紙片２４の周縁の外側近傍において、中央面部２１ａと左右側面部２１ｂ、２１ｃが接着され、カード紙片２４の上部・下部と左右側部周縁の内側近傍において、左右側面部２１ｂ、２１ｃとカード紙片２４が接着されている場合、左右側面部２１ｂ、２１ｃを開くと、カード紙片２４は後から開く左側面部２１ｂあるいは右側面部２１ｃに完全に付着し、カード紙片２４が左側面部２１ｂあるいは右側面部２１ｃにから剥がれるか左側面部２１ｂあるいは右側面部２１ｃにから剥がれやすい状態となることはない。
【００６５】
［左側面部２１ｂ、右側面部２１ｃと中央面部２１ａ等の接着部分のパターン］
図２９〜図３１は、左側面部２１ｂ、右側面部２１ｃと、中央面部２１ａ（貼り合せ部分２３を含む）、カード紙片２４との第２の接着層２６による接着（擬似接着）部分のパターンの第１例〜第３例を示したカード紙片付印刷物２の平面図である。
図において、Ｐ５１ａ、Ｐ５１ｂ、Ｐ５２ａ、Ｐ５２ｂ、Ｐ５３ａ、Ｐ５３ｂ、Ｐ５４ａ、Ｐ５４ｂ、Ｐ５７、Ｐ５８は、中央面部２１ａ（貼り合せ部分２３を含む）とカード紙片２４における接着部分（領域）を示す部分、Ｑ５１ａ、Ｑ５１ｂ、Ｑ５２ａ、Ｑ５２ｂ、Ｑ５３ａ、Ｑ５３ｂ、Ｑ５４ａ、Ｑ５４ｂ、Ｑ５７、Ｑ５８は、左側面部２１ｂと右側面部２１ｃにおける接着部分（領域）を示す部分、Ｑ５５、Ｑ５６、Ｑ６１ａ、Ｑ６１ｂ、Ｑ６２ａ、Ｑ６２ｂ、Ｑ６３、Ｑ６４は、左側面部２１ｂと右側面部２１ｃにおける領域である。
なお、図において、左右側面部２１ｂ、２１ｃに一点鎖線で示すコの字または逆コの字の枠は、左右側面部２１ｂ、２１ｃが中央面部２１ａに折り重ねられた場合におけるカード紙片２４の周縁（上縁２４ａ、下縁２４ｂ、側縁２４ｃ、２４ｄ）の位置を表している。
【００６６】
図２９に示す接着部分のパターン第１例においては、中央面部２１ａの上端部である領域Ｒ５１の左側部分に含まれて２列の円形ドット列からなる横長帯状の部分Ｐ５１ａと、これと重なり合う左側面部２１ｂの部分Ｑ５１ａが接着され、領域Ｒ５１の右側部分に含まれて２列の円形ドット列からなる横長帯状の部分Ｐ５１ｂと、これと重なり合う右側面部２１ｃの部分Ｑ５１ｂが接着され、中央面部２１ａの下端部である領域Ｒ５２の左側部分に含まれて２列の円形ドット列からなる横長帯状の部分Ｐ５２ａと、これと重なり合う左側面部２１ｂの部分Ｑ５２ａが接着され、領域Ｒ５２の右側部分に含まれて２列の円形ドット列からなる横長帯状の部分Ｐ５２ｂと、これと重なり合う右側面部２１ｃの部分Ｑ５２ｂが接着されている。
これにより、カード紙片付印刷物１の場合と同様に、左側面部２１ｂと右側面部２１ｃが中央面部２１ａから剥がれることなく、カード紙片付印刷物２を連続的に製造でき、製造したカード紙片付印刷物２を運搬・輸送等しているときに、左側面部２１ｂや右側面部２１ｃが中央面部２１ａから剥がれるという事故を防止できる。
一方、これらの部分Ｐ５１ａ、Ｐ５１ｂ、Ｐ５２ａ、Ｐ５２ｂ、Ｑ５１ａ、Ｑ５１ｂ、Ｑ５２ａ、Ｑ５２ｂ以外の部分において、左側面部２１ｂ、右側面部２１ｃと中央面部２１ａ（貼り合せ部分２３を含む）は接着されていない。
すなわち、少なくとも、中央面部２１ａにおけるカード紙片２４の周縁（上縁２４ａ、下縁２４ｂ、側縁２４ｃ、２４ｄ）の外側近傍となる領域Ｒ６１、Ｒ６２、Ｒ６３、Ｒ６４と、これに重なる左側面部２１ｂ、右側面部２１ｃの領域Ｑ６１ａ、Ｑ６１ｂ、Ｑ６２ａ、Ｑ６２ｂ、Ｑ６３、Ｑ６４は接着されていない。
これにより、カード紙片付印刷物１の場合と同様に、中央面部２１ａから左側面部２１ｂと右側面部２１ｃを開くと、カード紙片２４が、後から開く左側面部２１ｂあるいは右側面部２１ｃからも剥がれるか剥がれやすくなって、カード紙片２４を容易に取り出すことができる。
【００６７】
次に、図２９に示す接着部分のパターン第１例においては、カード紙片２４の上部である領域Ｒ５３の左側部分に含まれて３個の円形ドット列からなる横長帯状の部分Ｐ５３ａと、これと重なり合う左側面部２１ｂの部分Ｑ５３ａが接着され、領域Ｒ５３の右側部分に含まれて５個の円形ドット列からなる横長帯状の部分Ｐ５３ｂと、これと重なり合う右側面部２１ｃの部分Ｑ５３ｂが接着され、カード紙片２４の下部である領域Ｒ３４の左側部分に含まれて３個の円形ドット列からなる横長帯状の部分Ｐ５４ａと、これと重なり合う左側面部２１ｂの部分Ｑ５４ａが接着され、領域Ｒ５４の右側部分に含まれて５個の円形ドット列からなる横長帯状の部分Ｐ５４ｂと、これと重なり合う右側面部２１ｃの部分Ｑ５４ｂが接着されている。
また、カード紙片２４の領域Ｒ５３とＲ５４に挟まれた部分であって、領域Ｒ５６の内側にある８個の円形ドット列からなる縦長帯状の部分Ｐ５８と、これと重なり合う右側面部２１ｃの部分Ｑ５８が接着されている。
これにより、カード紙片付印刷物１の場合と同様に、カード紙片２４が左側面部２１ｂと右側面部２１ｃから脱落することなく、カード紙片付印刷物２を連続的に製造でき、製造したカード紙片付印刷物２を運搬・輸送等しているときに、カード紙片２４が左側面部２１ｂと右側面部２１ｃから脱落するという事故を防止できる。
一方、これらの部分Ｐ５３ａ、Ｐ５３ｂ、Ｐ５４ａ、Ｐ５４ｂ、Ｐ５８、Ｑ５３ａ、Ｑ５３ｂ、Ｑ５４ａ、Ｑ５４ｂ、Ｑ５８以外の部分において、左側面部２１ｂ、右側面部２１ｃとカード紙片２４は接着されていない。
すなわち、少なくとも、カード紙片２４の左側部周縁の内側近傍となる領域Ｒ５５、カード紙片２４の右側部周縁の内側近傍となる領域Ｒ５６と、これに重なる左側面部２１ｂの領域Ｑ５５、右側面部２１ｃの領域Ｑ５６は接着されていない。
これにより、カード紙片付印刷物１の場合と同様に、カード紙片２４の左右側部周縁の内側近傍が左側面部２１ｂ、右側面部２１ｃと密着せず、左側面部２１ｂ、右側面部２１ｃを中央面部２１ａから開かなくても、カード紙片２４の左右側部周縁の内側近傍を持ち上げて、カード紙片２４を容易に左側面部２１ｂと右側面部２１ｃから剥がして取り出すことができる。
【００６８】
図３０に示す接着部分のパターン第２例においては、中央面部２１ａと左側面部２１ｂ、右側面部２１ｃの接着部分、非接着部分は、図２９の第１例と同じである。
すなわち、中央面部２１ａの部分Ｐ５１ａ、Ｐ５２ａと、これと重なり合う左側面部２１ｂの部分Ｑ５１ａ、Ｑ５２ａが接着され、中央面部２１ａの部分Ｐ５１ｂ、Ｐ５２ｂと、これと重なり合う右側面部２１ｃの部分Ｑ５１ｂ、Ｑ５２ｂが接着されており、これにより、カード紙片付印刷物２の製造時や運搬・輸送時等に、左側面部２１ｂや右側面部２１ｃが中央面部２１ａから剥がれることが防止される。
また、  少なくとも、中央面部２１ａにおけるカード紙片２４の周縁の外側近傍となる領域Ｒ６１、Ｒ６２、Ｒ６３、Ｒ６４と、これに重なる左側面部２１ｂ、右側面部２１ｃの領域Ｑ６１ａ、Ｑ６１ｂ、Ｑ６２ａ、Ｑ６２ｂ、Ｑ６３、Ｑ６４は接着されておらず、中央面部２１ａから左側面部２１ｂと右側面部２１ｃを開くと、カード紙片２４が、後から開く左側面部２１ｂあるいは右側面部２１ｃからも剥がれるか剥がれやすくなって、カード紙片２４を容易に取り出すことができる。
次に、図３０の第２例においては、図２９の第１例と同様に、カード紙片２４の部分Ｐ５３ａ、Ｐ５４ａと、これと重なり合う左側面部２１ｂの部分Ｑ５３ａ、Ｑ５４ａが接着され、カード紙片２４の部分Ｐ５３ｂ、Ｐ５４ｂ、Ｐ５８と、これと重なり合う右側面部２１ｃの部分Ｑ５３ｂ、Ｑ５４ｂ、Ｑ５８が接着されているが、第１例と異なり、さらに、カード紙片２４の領域Ｒ５３とＲ５４に挟まれた部分であって部分Ｐ５８と領域Ｒ５６の間に、８個の円形ドット列からなる縦長帯状の部分Ｐ５７と、これと重なり合う右側面部２１ｃの部分Ｑ５７が接着されている。
これにより、図２９の第１例と同様に、カード紙片付印刷物２の製造時や運搬・輸送時等に、カード紙片２４が左側面部２１ｂと右側面部２１ｃから脱落することが防止される。
一方、これらの部分Ｐ５３ａ、Ｐ５３ｂ、Ｐ５４ａ、Ｐ５４ｂ、Ｑ５３ａ、Ｑ５３ｂ、Ｑ５４ａ、Ｑ５４ｂ、Ｐ５７、Ｐ５８、Ｑ５７、Ｑ５８以外の部分において、左側面部２１ｂ、右側面部２１ｃとカード紙片２４は接着されていない。
すなわち、少なくとも、カード紙片２４の左右側部周縁の内側近傍となる領域Ｒ５５、Ｒ５６と、これに重なる左右側面部２１ｂ、２１ｃの領域Ｑ５５、Ｑ５６は接着されていない。
これにより、カード紙片２４の左右側部周縁の内側近傍が左側面部２１ｂ、右側面部２１ｃと密着せず、左側面部２１ｂ、右側面部２１ｃを中央面部２１ａから開かなくても、カード紙片２４の左右側部周縁の内側近傍を持ち上げて、カード紙片２４を容易に左側面部２１ｂと右側面部２１ｃから剥がして取り出すことができる。
【００６９】
図３１に示す接着部分のパターン第３例においては、中央面部２１ａと左側面部２１ｂ、右側面部２１ｃの接着部分、非接着部分は、図２９の第１例と同じである。
すなわち、中央面部２１ａの部分Ｐ５１ａ、Ｐ５２ａと、これと重なり合う左側面部２１ｂの部分Ｑ５１ａ、Ｑ５２ａが接着され、中央面部２１ａの部分Ｐ５１ｂ、Ｐ５２ｂと、これと重なり合う右側面部２１ｃの部分Ｑ５１ｂ、Ｑ５２ｂが接着されており、これにより、カード紙片付印刷物２の製造時や運搬・輸送時等に、左側面部２１ｂや右側面部２１ｃが中央面部２１ａから剥がれることが防止される。
また、  少なくとも、中央面部２１ａにおけるカード紙片２４の周縁の外側近傍となる領域Ｒ６１、Ｒ６２、Ｒ６３、Ｒ６４と、これに重なる左側面部２１ｂ、右側面部２１ｃの領域Ｑ６１ａ、Ｑ６１ｂ、Ｑ６２ａ、Ｑ６２ｂ、Ｑ６３、Ｑ６４は接着されておらず、中央面部２１ａから左側面部２１ｂと右側面部２１ｃを開くと、カード紙片２４が、後から開く左側面部２１ｂあるいは右側面部２１ｃからも剥がれるか剥がれやすくなって、カード紙片２４を容易に取り出すことができる。
次に、図３１の第３例においては、図３０の第２例と同様に、カード紙片２４の部分Ｐ５３ａ、Ｐ５４ａと、これと重なり合う左側面部２１ｂの部分Ｑ５３ａ、Ｑ５４ａが接着され、カード紙片２４の部分Ｐ５３ｂ、Ｐ５４ｂと、これと重なり合う右側面部２１ｃの部分Ｑ５３ｂ、Ｑ５４ｂが接着されているが、第２例と異なり、カード紙片５４の領域Ｒ５３とＲ５４に挟まれた部分には、第２例の部分Ｐ５７、Ｐ５８に代えて、５個の円形ドット列からなる縦長帯状の部分Ｐ５７’、Ｐ５８’と、これと重なり合う右側面部２１ｃの部分Ｑ５７’、Ｑ５８’が接着されている。
これにより、図２９の第１例と同様に、カード紙片付印刷物１の製造時や運搬・輸送時等に、カード紙片２４が左側面部２１ｂと右側面部２１ｃから脱落することが防止される。
一方、これらの部分Ｐ５３ａ、Ｐ５３ｂ、Ｐ５４ａ、Ｐ５４ｂ、Ｑ５３ａ、Ｑ５３ｂ、Ｑ５４ａ、Ｑ５４ｂ、Ｐ５７’、Ｐ５８’、Ｑ５７’、Ｑ５８’以外の部分において、左側面部５１ｂ、右側面部５１ｃとカード紙片５４は接着されていない。
すなわち、少なくとも、カード紙片５４の左右側部周縁の内側近傍となる領域Ｒ５５、Ｒ５６と、これに重なる左右側面部２１ｂ、２１ｃの領域Ｑ５５、Ｑ５６は接着されていない。
これにより、カード紙片２４の左右側部周縁の内側近傍が左側面部２１ｂ、右側面部２１ｃと密着せず、左側面部２１ｂ、右側面部２１ｃを中央面部２１ａから開かなくても、カード紙片２４の左右側部周縁の内側近傍を持ち上げて、カード紙片２４を容易に左側面部２１ｂと右側面部２１ｃから剥がして取り出すことができる。
【００７０】
［接着部分の形状］
図２９〜図３１に示す接着部分のパターンの第１例〜第３例においては、左側面部２１ｂ、右側面部２１ｃと、中央面部２１ａ、カード紙片２４との接着部分を表す部分Ｐ５１ａ、Ｐ５１ｂ、Ｐ５２ａ、Ｐ５２ｂ、Ｐ５３ａ、Ｐ５３ｂ、Ｐ５４ａ、Ｐ５４ｂ（Ｑ５１ａ、Ｑ５１ｂ、Ｑ５２ａ、Ｑ５２ｂ、Ｑ５３ａ、Ｑ５３ｂ、Ｑ５４ａ、Ｑ５４ｂ）は、─長の円形ドット列であり、部分Ｐ５７、Ｐ５８、Ｐ５７’、Ｐ５８’（Ｑ５７、Ｑ５８、Ｑ５７’、Ｑ５８’）は、縦長の円形ドット列であるが、この接着部分の形状は、横長あるいは縦長の円形ドット列に限定されるものではなく、種々の形状をとることができる。
すなわち、カード紙片付印刷物２においても、カード紙片付印刷物１と同様に、左側面部２１ｂ、右側面部２１ｃと、中央面部２１ａ、カード紙片２４との接着部分は、図１７に示すような横長の長方形あるいは縦長の長方形により形成してもよく、図１８に示すような正方形のドッド列により形成してもよい。
【００７１】
［カード紙片付印刷物２の使用方法］
次に、カード紙片付印刷物２の使用方法について説明する。
図３２は、カード紙片付印刷物２の左右側面部を開いた状態の平面図、図３３は、図３２の開いた状態のカード紙片付印刷物２を正面から見た状態を模式的に表した説明図、図３４は、中央面部２１ａ（貼り合せ部分２３）からカード紙片２４を取り出した状態を示した斜視図であり、図中、２４ｈは中央面部２１ａに形成された開口部、２４ｗは中央面部２１ａに形成された切り込み枠である。
カード紙片付印刷物２においては、第２の接着剤層２６（２６ａ、２６ｂ、２６ｃ、２６ｄ等）に剥離性があるため、左側面部２１ｂを中央面部２１ａ（貼り合せ部分２３を含む）から剥がして折り線ｆ２１に沿って折り返し、右側面部２１ｃを中央面部２１ａから剥がして折り線ｆ２２に沿って折り返すことにより、カード紙片付印刷物１を開くことができる。
このとき、図２９〜図３１に示すように、部分Ｐ５１ａ、Ｐ５１ｂ、Ｐ５２ａ、Ｐ５２ｂ、Ｑ５１ａ、Ｑ５１ｂ、Ｑ５２ａ、Ｑ５２ｂ以外の部分において、左側面部５１ｂ、右側面部５１ｃと中央面部５１ａ（貼り合せ部分５３を含む）は接着されていないため、左側面部２１ｂと右側面部２１ｃを中央面部２１ａから容易に剥がして開くことができる。
【００７２】
このようにして左側面部２１ｂと右側面部２１ｃを中央面部２１ａから剥がして開くと、カード紙片付印刷物１と同様に、カード紙片２４の周縁の外側近傍において中央面部２１ａと左右側面部２１ｂ、２１ｃが接着されていないため、左側面部２１ｂと右側面部２１ｃに第２の接着剤層２６を介して付着していたカード紙片２４は、後から開く左側面部２１ｂあるいは右側面部２１ｃからも剥がれて、図３４に示すように中央面部２１ａの切り込み枠２４ｗに残った状態となるか、または、後から開く左側面部２１ｂあるいは右側面部２１ｃにカード紙片２４が付着しても、カード紙片２４は左側面部２１ｂあるいは右側面部２１ｃから剥がれやすい状態となる。
これは、後から左側面部２１ｂを開くとすると、カード紙片付印刷物１と同様に、カード紙片２４の左上隅部には、図８の矢印Ｆ２で示すように左斜め上方向に少しひねるような力が作用し、カード紙片２４は、図８の矢印Ｇ１、Ｇ２に方向にずれようとし、切り込み枠２４ｗに引っかかって、あるいは、引っかかったのと同じような状態となって持ち上げられるからである。
そして、切り込み枠２４ｗにカード紙片が残っている場合、カード紙片２４は、打ち抜かれて中央面部２１ａ（貼り合せ部分２３）の切り込み枠２４ｗから切り離されているため、図３４に示すように、切り込み枠２４ｗからカード紙片２４を容易に取り出すことができる。
仮に、後から開く左側面部２１ｂあるいは右側面部２１ｃにカード紙片２４が付着しても、カード紙片２４は左側面部２１ｂあるいは右側面部２１ｃから剥がれやすい状態となっているため、カード紙片２４を左側面部２１ｂあるいは右側面部２１ｃから容易に剥がして取り出すことができる。
このようにして取り出したカード紙片２４は、葉書、クーポン等のサービス券、チケット類、会員証等として使用することができる。
また、図２９〜図３１に示すように、少なくとも、カード紙片２４の左右側部周縁の内側近傍となる領域Ｒ５５、Ｒ５６と、これに重なる左右側面部２１ｂ、２１ｃの領域Ｑ５５、Ｑ５６は接着されていない。
これにより、カード紙片２４の左右側部周縁の内側近傍が左側面部２１ｂ、右側面部２１ｃと密着せず、左側面部２１ｂ、右側面部２１ｃを中央面部２１ａから開かなくても、カード紙片２４の左右側部周縁の内側近傍を持ち上げて、カード紙片２４を容易に左側面部２１ｂと右側面部２１ｃから剥がして取り出すことができる。
【００７３】
［カード紙片付印刷物２の製造方法］
次に、カード紙片付印刷物２の製造方法について説明する。
カード紙片付印刷物２は、カード紙片付印刷物１と同様にして、連続する１枚の用紙に、印刷、切断、接着剤塗布、打抜き、折り、貼り合せ等の加工を施すことにより、製造することができる。
【００７４】
［用紙に施す加工の種類と位置］
図３５は、カード紙片付印刷物２を製造するに際し、連続する１枚の用紙に施す加工の種類と位置を表した説明図である。
図において、２点鎖線で示すＢｘ１は、用紙の縦方向（進行方向）の切断位置を示す切断予定線、２点鎖線で示すＢｙ１、Ｂｙ２は、用紙の横方向（進行方向と直角方向）の切断位置を示す切断予定線、１点鎖線で示すＢｕ１は、打ち抜く位置を示す打ち抜き予定線、点線で示すＢｔ１、Ｂｔ２は、縦方向の折り位置を示す縦折り予定線、網点で示すＢｒ１は、非剥離性の第１接着剤を塗布する領域を示す第１接着剤塗布予定領域、網点で示すＢｒ２１〜Ｂｒ２４、Ｂｒ３１〜Ｂｒ３４、Ｂｒ３７、Ｂｒ３８は、剥離性の第２接着剤を塗布する領域を示す第２接着剤塗布予定領域である。
ここで、切断予定線Ｂｙ１とＢｙ２の間隔ｐ２が、カード紙片付印刷物２の縦方向の長さとなり、切断予定線Ｂｙ１とＢｙ２で仕切られる領域から１枚のカード紙片付印刷物２が製造される。
そして、切断予定線Ｂｙ１とＢｙ２で仕切られる領域のうち、切断予定線Ｂｘ１と縦折り予定線Ｂｔ１で仕切られる領域Ｂ１が第１の用紙２１の左側面部２１ｂとなり、縦折り予定線Ｂｔ１と縦折り予定線Ｂｔ２で仕切られる領域Ｂ２が第１の用紙２１（第２の用紙２２を第１の用紙２２に貼り合せた後の貼り貼り合せ部分２３を含む）の中央面部２１ａとなり、縦折り予定線Ｂｔ２と用紙Ｂの右端で仕切られる領域Ｂ３が第１の用紙２１の右側面部２１ｃとなり、用紙Ｂの左端と切断予定線Ｂｘ１で仕切られる領域Ｂ４が第２の用紙２２となり、縦折り予定線Ｂｔ１、Ｂｔ２は、折り線ｆ２１、ｆ２２となる。
【００７５】
［カード紙片付印刷物２の具体的な製造方法］
以下、カード紙片付印刷物２の製造方法を具体的に説明する。
まず、輪転印刷機（図示せず）の給紙部から巻取状の用紙Ｂを繰り出し、その表裏面に所定の印刷を施す。
次いで、印刷された用紙Ｂは、紙加工装置１００に送られ、スリッター部１１０において、切断ローラー１１１により切断予定線Ｂｘ１で切断され、第１の用紙２１となる右側の用紙ＢＲ（領域Ｂ１、Ｂ２、Ｂ３）と第２の用紙２２となる左側の用紙ＢＬ（領域Ｂ４）に分割され、用紙ＢＬは第１糊付け部１２０に送られる。
第１糊付け部１２０においては、受け皿１２６にためられた被剥離性の第１接着剤ｇｌ１が供給ローラー１２４、１２５を介して糊付けローラー１２２に供給され、押付けローラー１２３により糊付けローラー１２２が用紙ＢＬの下面に押し付けられ、用紙ＢＬ（領域Ｂ４）の下面全面の第１接着剤塗布予定領域Ｂｒ１に第１接着剤ｇｌ１が塗布されて第１の接着剤層２５が形成され、第１接着剤ｇｌ１が塗布された用紙ＢＬは、貼り合せ部１３０に送られる。
一方、スリッター部１１０において切断された一方の用紙ＢＲは、ガイドローラー１１３、１１４等により、貼り合せ部１３０に送られる。
貼り合せ部１３０においては、用紙ＢＲの領域Ａ２の上面の一部に、第１接着剤ｇｌ１が塗布された用紙ＢＬの下面が重ねられ、一対のニップローラー１３１、１３２で用紙ＢＲと用紙ＢＬが挟まれて圧着され、用紙ＡＲに用紙ＢＬが貼り合わされて貼り合せ部分１３が形成される。このようにして用紙ＢＬが貼り合わされた用紙ＢＲは、第２糊付け部１４０に送られる。
【００７６】
第２糊付け部１４０においては、受け皿１４６にためられた剥離性の第２接着剤ｇｌ２が供給ローラー１２４、１２５を介して糊付けローラー１４２の糊版１４１に供給され、押付けローラー１４３により糊付けローラー１４２の糊版１４１が用紙ＢＬの上面に押し付けられることにより、第２接着剤ｇｌ２の塗布が行われる。
そして、用紙ＢＲ（第１の用紙２１）の領域Ｂ１（左側面部２１ｂ）の第２接着剤塗布予定領域Ｂｒ２１〜Ｂｒ２４と、用紙ＢＲの領域Ｂ３（右側面部２１ｃ）の第２接着剤塗布予定領域Ｂｒ３１〜Ｂｒ３４、Ｂｒ３７、Ｂｒ３８に、剥離性の第２接着剤ｇｌ２が塗布され、第２の接着剤層２６が形成される。
この場合、第２接着剤塗布予定領域Ｂｒ２１〜Ｂｒ２４は、図２９〜図３１に示す接着部分のパターン第１例〜第３例における部分Ｑ５１ａ、Ｑ５２ａ、Ｑ５３ａ、Ｑ５４ａ、に相当し、第２接着剤塗布予定領域Ｂｒ３１〜Ｂｒ３４、Ｂｒ３７、Ｂｒ３８は、部分Ｑ５１ｂ、Ｑ５２ｂ、Ｑ５３ｂ、Ｑ５４ｂ、Ｑ５７、Ｑ５８に相当する。
よって、図２９の第１例のカード紙片付印刷物２の場合には、第２接着剤塗布予定領域Ｂｒ３７には、第２接着剤ｇｌ２が塗布されず、図３１の第３例のカード紙片付印刷物２の場合には、第２接着剤塗布予定領域Ｂｒ３７、Ｂｒ３８の上半分に第２接着剤ｇｌ２が塗布される。
このようにして第２接着剤ｇｌ２が塗布された用紙ＢＲは、折り・貼り合せ部１５０に送られる。
【００７７】
折り・貼り合せ部１５０においては、ローラー（図示せず）等により、用紙ＢＲ（第１の用紙２１）の領域Ｂ１（左側面部２１ｂ）が縦折り予定線Ｂｔ１に沿って領域Ｂ２（中央面部２１ａ）の左半分に折り重ねられ、用紙ＢＲ（第１の用紙２１）の領域Ｂ３（右側面部２１ｃ）が縦折り予定線Ｂｔ２に沿って領域Ｂ２（中央面部２１ａ）の右半分に折り重ねられ、折り重ねられた用紙ＢＲ（折り重ね用紙ＢＲ）は、一対のニップローラー１５１、１５２で挟み込まれて圧着され、第２の接着剤層２６（第２接着剤ｇｌ２）で擬似接着される。このようにして領域Ｂ１（左側面部２１ｂ）と領域Ｂ３（右側面部２１ｃ）が領域Ｂ２（中央面部２１ａ）に擬似接着された折り重ね用紙ＢＲは、打抜き部１６０に送られる。
打抜き部１６０においては、用紙ＢＲ（第１の用紙２１）の領域Ｂ２（中央面部２１ａ）の用紙ＢＬ（第２の用紙２２）が貼り合わされた貼り合せ部分２３が、打ち抜き予定線Ｂｕ１に沿って打ち抜かれ、カード紙片２４が形成される。この打ち抜きは、打抜き刃１６１が取付けられた打抜きローラー１６２と受けローラー１６３の間に貼り合せ部分２３を挟み込むことにより行われる。このようにして打ち抜かれた折り重ね用紙ＢＲは、断裁部１７０に送られる。
断裁部１７０においては、断裁刃１７１が取付けられた断裁ローラー１７２と受けローラー１７３の間に折り重ね用紙ＢＲが挟み込まれ、切断予定線Ｂｙ１、Ｂｙ２で折り重ね用紙ＢＲが断裁（切断）され、断裁された折り重ね用紙ＢＲは、カード紙片付印刷物２となる。
最後に、断裁されたカード紙片付印刷物２は、排出部（図示せず）に送られ、積層された状態で排出される。
上記のようにしてカード紙片付印刷物２が連続して製造される。
【実施例】
【００７８】
次に、本発明の実施例について説明する。
［カード紙片付印刷物の構成］
図３６は、本実施例のカード紙片付印刷物の平面図、図３７は、本実施例のカード紙片付印刷物であって、左側面部と右側面部を開いた状態のカード紙片付印刷物の平面図であり、図において、２００はカード紙片付印刷物、２０１は第１の用紙、２０１ａは中央面部、２０１ｂは左側面部、２０１ｃは右側面部、２０２は第２の用紙、２０３は第１の用紙２０１に第２の用紙２０２を貼り合わせた貼り合せ部分、２０４はカード紙片、ｆ２０１、ｆ２０２は折り線である。
図３６、図３７に示すように、カード紙片付印刷物２００は、中央面部２０１ａとその両側ある左側面部２０１ｂと右側面部２０１ｃからなる第１の用紙２０１と、第１の用紙２０１の中央面部２０１ａの右に偏った位置に、第２の用紙２０２が第１の接着剤層を介して貼り合わされて貼り合せ部分２０３が形成され、左側面部２０１ｂと右側面部２０１ｃが、中央面部２０１ａと貼り合せ部分２０３に折り重ねられて第２の接着剤層を介して貼り合わされている。
貼り合せ部分２０３においては、第１の用紙２０１（中央面部２０１ａ）と第２の用紙２０２の両方が打抜かれて形成された切り込みによりカード紙片２０４が形成されている。
【００７９】
［用紙の種類、全体・各部の大きさ等］
第１の用紙２０１と第２の用紙２０２は、坪量（厚み）６３ｇ／ｍ２（０．０７ｍｍ）の上質紙を使用した。
カード紙片付印刷物２００の全体、各部の大きさ（寸法）等は以下のとおりである。
左右側面部２０１ｂ、２０１ｃを中央面部２０１ａに折り重ねた状態（図３６）のカード紙片付印刷物２００の大きさ    縦２５７ｍｍ×横３６４ｍｍ
左右側面部２０１ｂ、２０１ｃを中央面部２０１ａから開いた状態のカード紙片付印刷物２００（第１の用紙２０１）（図３７）の大きさ    縦２５７ｍｍ×横７２８ｍｍ
左側面部２０１ｂの左右方向の長さ（幅）  ２７２ｍｍ
右側面部２０１ｃの左右方向の長さ（幅）    ９２ｍｍ
第２の用紙２０２（貼り合せ部分１０３）の左右方向の長さ（幅）  １２０ｍｍ
カード紙片２０４の大きさ    縦１５３ｍｍ×横１０３ｍｍ
左側面部２０１ｂとカード紙片２０４の重なり部分の左右方向の長さ（幅）  ３８ｍｍ
右側面部２０１ｃとカード紙片２０４の重なり部分の左右方向の長さ（幅）  ６５ｍｍ
カード紙片２０４の上縁から中央面部２０１ａの上縁までの距離  ６０ｍｍ
カード紙片２０４の下縁から中央面部２０１ａの下縁までの距離  ４４ｍｍ
【００８０】
［カード紙片付印刷物２００の製造と接着剤層の形成］
カード紙片付印刷物２００は、図３５に示すような用紙Ｂを用いて、図２２に示す紙加工装置１００が連結されたオフセット輪転印刷機（インライン機）を使用して製造した。
第１の用紙２０１と第２の用紙２０２を貼り合せる第１の接着剤層は、エマルジョンタイプの非剥離性の接着剤を第２の用紙２０２の全面に塗布して形成した。
左右側面部２０１ｂ、２０１ｃと中央面部２０１ａ、カード紙片２０４を貼り合せる第２の接着剤層は、エマルジョンタイプの剥離性の接着剤を、左右側面部２０１ｂ、２０１ｃに部分的に塗布して形成した。
そして、本実施例においては、第２接着剤層のパターン（位置、大きさ、形状等）の異なる４種類のカード紙片付印刷物２００のサンプル（サンプルＡ〜サンプルＤ）を製造した。
【００８１】
［サンプルＡ］
図３８は、カード紙片付印刷物２００のサンプルＡの平面図、図３９は、サンプルＡの左右側面部を開いた状態の平面図である。
図３８において、網点の円形ドットで表す部分Ｐ２１１ａ、Ｐ２１２ａは左側面部２０１ｂと中央面部２０１ａとの接着部分、網点の円形ドットで表す部分Ｐ２１１ｂ、Ｐ２１２ｂは右側面部２０１ｃと中央面部２０１ａとの接着部分、網点の円形ドットで表す部分Ｐ２１３ａ、Ｐ２１４ａは左側面部２０１ｂとカード紙片２０４との接着部分、網点の円形ドットで表す部分Ｐ２１３ｂ、Ｐ２１４ｂ、Ｐ２１５ｂ、Ｐ２１５ｂは右側面部２０１ｃとカード紙片２０４との接着部分である。
また、図３９において、灰色の円形ドットで表す部分Ｑ２１１ａ、Ｑ２１２ａ、Ｑ２１３ａ、Ｑ２１４ａは、左側面部２０１ｂにおける第２の接着剤の塗布部分、灰色の円形ドットで表す部分Ｑ２１１ｂ、Ｑ２１２ｂ、Ｑ２１３ｂ、Ｑ２１４ｂ、Ｑ２１５ｂ、Ｑ２１６ｂは、右側面部２０１ｃにおける第２の接着剤の塗布部分であり、左右側面部２０１ｂ、２０１ｃに一点鎖線で示すコの字または逆コの字の枠は、左右側面部２０１ｂ、２０１ｃを中央面部２０１ａに折り重ねた場合のカード紙片２０４の周縁の位置を表している。
この第２の接着剤の塗布部分を表す灰色の円形ドットの直径は約５ｍｍ、ピッチは約７ｍｍである。
【００８２】
図３９に示すように、サンプルＡの左側面部２０１ｂにおいて、部分Ｑ２１１ａと部分Ｑ２１２ａは、共に左右（横）方向に延びる２列の円形ドット列からなり、部分Ｑ２１１ａは、左側面部２０１ｂの上端部であってその上縁から約２ｍｍ離れた位置に形成され、部分Ｑ２１２ａは、左側面部２０１ｂの下端部であってその下縁から約２ｍｍ離れた位置に形成されている。
また、部分Ｑ２１３ａは、左右方向に延びる２列の円形ドット列からなり、左側面部２０１ｂとカード紙片２０４が重なる部分の上部でその上縁から約２ｍｍ離れた位置に形成され、Ｑ２１４ａは、左右方向に延びる１列の円形ドット列からなり、左側面部２０１ｂとカード紙片２０４が重なる部分の下部でその下縁から約２ｍｍ離れた位置に形成されている。
次に、サンプルＡの右側面部２０１ｃにおいて、部分Ｑ２１１ｂと部分Ｑ２１２ｂは、共に左右方向に延びる２列の円形ドット列からなり、部分Ｑ２１１ｂは、右側面部２０１ｃの上端部であってその上縁から約２ｍｍ離れた位置に形成され、部分Ｑ２１２ｂは、右側面部２０１ｃの下端部であってその下縁から約２ｍｍ離れた位置に形成されている。
また、部分Ｑ２１３ｂは、左右方向に延びる２列の円形ドット列からなり、右側面部２０１ｃとカード紙片２０４が重なる部分の上部でその上縁から約２ｍｍ離れた位置に形成され、Ｑ２１４ｂは、左右方向に延びる１列の円形ドット列からなり、右側面部２０１ｃとカード紙片２０４が重なる部分の下部でその下縁から約２ｍｍ離れた位置に形成されている。
さらに、部分Ｑ２１５ｂは、上下（縦）方向に延びる１列の円形ドット列からなり、部分Ｑ２１３ｂと部分２１４ｂに挟まれた部分であって、右側面部２０１ｃの右縁から約４ｍｍに形成され、部分Ｑ２１６ｂは、上下方向に延びる１列の円形ドット列からなり、部分Ｑ２１３ｂと部分２１４ｂに挟まれた部分であって、右側面部２０１ｃとカード紙片２０４が重なる部分の左右方向中央部に形成されている。
そして、図３８に示すように、サンプルＡにおいては、左側面部２０１ｂを中央面部２０１ａに折り重ねた状態で、第２の接着剤の塗布部分Ｑ２１１ａ、Ｑ２１２ａ、Ｑ２１３ａ、Ｑ２１４ａにより、左側面部２０１ｂと中央面部２０１ａ・カード紙片２０４の接着部分Ｐ２１１ａ、Ｐ２１２ａ、Ｐ２１３ａ、Ｐ２１４ａが形成され、右側面部２０１ｃを中央面部２０１ａに折り重ねた状態で、第２の接着剤の塗布部分Ｑ２１１ｂ、Ｑ２１２ｂ、Ｑ２１３ｂ、Ｑ２１４ｂ、Ｑ２１５ｂ、Ｑ２１６ｂにより、右側面部２０１ｃと中央面部２０１ａ・カード紙片２０４の接着部分Ｐ２１１ｂ、Ｐ２１２ｂ、Ｐ２１３ｂ、Ｐ２１４ｂ、Ｐ２１５ｂ、Ｐ２１６ｂが形成される。
【００８３】
［サンプルＢ］
図４０は、カード紙片付印刷物２００のサンプルＢの平面図、図４１は、サンプルＢの左右側面部を開いた状態の平面図であり、図４１において、左右側面部２０１ｂ、２０１ｃに一点鎖線で示すコの字または逆コの字の枠は、図３９と同様に、左右側面部２０１ｂ、２０１ｃを中央面部２０１ａに折り重ねた場合のカード紙片２０４の周縁の位置を表している。
サンプルＢの左側面部２０１ｂにおける第２の接着剤の塗布部分は、サンプルＡの左側面部２０１ｂにおける第２の接着剤の塗布部分と同じである。
すなわち、サンプルＢの左側面部２０１ｂにおいて、上端部と下端部には部分Ｑ２１１ａと部分Ｑ２１２ａが形成され、左側面部２０１ｂとカード紙片２０４が重なる部分の上部と下部には、部分Ｑ２１３ａと部分Ｑ２１４ａが形成されている。
また、サンプルＢの右側面部２０１ｃにおける第２の接着剤の塗布部分は、部分Ｑ２１６ｂがない点を除いてサンプルＡの右側面部２０１ｃにおける第２の接着剤の塗布部分と同じである。
すなわち、サンプルＢの右側面部２０１ｃにおいて、上端部と下端部には部分Ｑ２１１ｂと部分Ｑ２１２ｂが形成され、右側面部２０１ｃとカード紙片２０４が重なる部分の上部と下部には、部分Ｑ２１３ｂと部分Ｑ２１４ｂが形成され、部分Ｑ２１３ｂと部分Ｑ２１４ｂの間には部分Ｑ２１５ｂが形成され、部分Ｑ２１６ｂは形成されていない。
そして、図４０に示すように、サンプルＢにおいては、左側面部２０１ｂを中央面部２０１ａに折り重ねた状態で、第２の接着剤の塗布部分Ｑ２１１ａ、Ｑ２１２ａ、Ｑ２１３ａ、Ｑ２１４ａにより、左側面部２０１ｂと中央面部２０１ａ・カード紙片２０４の接着部分Ｐ２１１ａ、Ｐ２１２ａ、Ｐ２１３ａ、Ｐ２１４ａが形成され、右側面部２０１ｃを中央面部２０１ａに折り重ねた状態で、第２の接着剤の塗布部分Ｑ２１１ｂ、Ｑ２１２ｂ、Ｑ２１３ｂ、Ｑ２１４ｂ、Ｑ２１５ｂにより、右側面部２０１ｃと中央面部２０１ａ・カード紙片２０４の接着部分Ｐ２１１ｂ、Ｐ２１２ｂ、Ｐ２１３ｂ、Ｐ２１４ｂ、Ｐ２１５ｂが形成される。
【００８４】
［サンプルＣ］
図４２は、カード紙片付印刷物２００のサンプルＣの平面図、図４３は、サンプルＣの左右側面部を開いた状態の平面図である。
図４２において、網点の横長の長方形で表す部分Ｐ２２３ａ、Ｐ２２４ａは左側面部２０１ｂとカード紙片２０４との接着部分、網点の横長の長方形で表す部分Ｐ２２３ｂ、Ｐ２２４ｂ、網点の縦長の長方形で表すＰ２２５ｂ、Ｐ２２５ｂは右側面部２０１ｃとカード紙片２０４との接着部分である。
また、図４３において、灰色の横長の長方形で表す部分Ｑ２２３ａ、Ｑ２２４ａは、左側面部２０１ｂにおける第２の接着剤の塗布部分、灰色の横長の長方形で表す部分Ｑ２２３ｂ、Ｑ２２４ｂ、灰色の縦長の長方形で表す部分Ｑ２２５ｂ、Ｑ２２６ｂは、右側面部２０１ｃにおける第２の接着剤の塗布部分であり、左右側面部２０１ｂ、２０１ｃに一点鎖線で示すコの字または逆コの字の枠は、図３９と同様に、左右側面部２０１ｂ、２０１ｃを中央面部２０１ａに折り重ねた場合のカード紙片２０４の周縁の位置を表している。
この第２の接着剤の塗布部分を表す部分Ｑ２２３ａ、Ｑ２２４ａ、Ｑ２２３ｂ、Ｑ２２４ｂ、Ｑ２２５ｂ、Ｑ２２６ｂの大きさは以下のとおりである。
Ｑ２２３ａ  縦約８ｍｍ×横約３５ｍｍ
Ｑ２２４ａ  縦約５ｍｍ×横約３５ｍｍ
Ｑ２２３ｂ  縦約８ｍｍ×横約６０ｍｍ
Ｑ２２４ｂ  縦約５ｍｍ×横約６０ｍｍ
Ｑ２２５ｂ  縦約１００ｍｍ×横約５ｍｍ
Ｑ２２６ｂ  縦約１００ｍｍ×横約５ｍｍ
【００８５】
サンプルＣの左側面部２０１ｂにおける第２の接着剤の塗布部分は、上端部と下端部でサンプルＡの第２の接着剤の塗布部分と同じ部分Ｑ２１１ａと部分Ｑ２１２ａであるが、左側面部２０１ｂとカード紙片２０４が重なる部分の第２の接着剤の塗布部分は、サンプルＡとは異なっている。
すなわち、サンプルＣの左側面部２０１ｂとカード紙片２０４が重なる部分の上部と下部には、サンプルＡの部分Ｑ２１３ａ、部分Ｑ２１４ｂと同じ位置に部分Ｑ２２３ａと部分Ｑ２２４ａが形成されている。
また、サンプルＣの右側面部２０１ｃにおける第２の接着剤の塗布部分も、上端部と下端部でサンプルＡの第２の接着剤の塗布部分と同じ部分Ｑ２１１ｂ、部分Ｑ２１２ｂであるが、右側面部２０１ｃとカード紙片２０４が重なる部分の第２の接着剤の塗布部分は、サンプルＡとは異なっている。
すなわち、サンプルＣの右側面部２０１ｃとカード紙片２０４が重なる部分の上部と下部には、サンプルＡの部分Ｑ２１３ｂ、Ｑ２１４ｂと同じ位置に部分Ｑ２２３ｂと部分Ｑ２２４ｂが形成され、部分Ｑ２２３ｂと部分Ｑ２２４ｂの間には、サンプルＡの部分Ｑ２１５ｂ、Ｑ２１６ｂと同じ位置に部分Ｑ２２５ｂと部分Ｑ２２６ｂが形成されている。
そして、図４２に示すように、サンプルＣにおいては、左側面部２０１ｂを中央面部２０１ａに折り重ねた状態で、第２の接着剤の塗布部分Ｑ２１１ａ、Ｑ２１２ａ、Ｑ２２３ａ、Ｑ２２４ａにより、左側面部２０１ｂと中央面部２０１ａ・カード紙片２０４の接着部分Ｐ２１１ａ、Ｐ２１２ａ、Ｐ２２３ａ、Ｐ２２４ａが形成され、右側面部２０１ｃを中央面部２０１ａに折り重ねた状態で、第２の接着剤の塗布部分Ｑ２１１ｂ、Ｑ２１２ｂ、Ｑ２２３ｂ、Ｑ２２４ｂ、Ｑ２２５ｂ、Ｑ２２６ｂにより、右側面部２０１ｃと中央面部２０１ａ・カード紙片２０４の接着部分Ｐ２１１ｂ、Ｐ２１２ｂ、Ｐ２２３ｂ、Ｐ２２４ｂ、Ｐ２２５ｂ、Ｐ２２６ｂが形成される。
【００８６】
［サンプルＤ］
図４４は、カード紙片付印刷物２００のサンプルＤの平面図、図４５は、サンプルＤの左右側面部を開いた状態の平面図であり、図４５において、左右側面部２０１ｂ、２０１ｃに一点鎖線で示すコの字または逆コの字の枠は、図３９と同様に、左右側面部２０１ｂ、２０１ｃを中央面部２０１ａに折り重ねた場合のカード紙片２０４の周縁の位置を表している。
サンプルＤ左側面部２０１ｂにおける第２の接着剤の塗布部分は、サンプルＣの左側面部２０１ｂにおける第２の接着剤の塗布部分と同じである。
すなわち、サンプルＤの左側面部２０１ｂにおいて、上端部と下端部には部分Ｑ２１１ａと部分Ｑ２１２ａが形成され、左側面部２０１ｂとカード紙片２０４が重なる部分の上部と下部には、部分Ｑ２２３ａと部分Ｑ２２４ａが形成されている。
また、サンプルＤの右側面部２０１ｃにおける第２の接着剤の塗布部分は、部分Ｑ２２６ｂがない点を除いてサンプルＣの右側面部２０１ｃにおける第２の接着剤の塗布部分と同じである。
すなわち、サンプルＤの右側面部２０１ｃにおいて、上端部と下端部には部分Ｑ２１１ｂと部分Ｑ２１２ｂが形成され、右側面部２０１ｃとカード紙片２０４が重なる部分の上部と下部には、部分Ｑ２２３ｂと部分Ｑ２２４ｂが形成され、部分Ｑ２２３ｂと部分Ｑ２２４ｂの間には部分Ｑ２２５ｂが形成され、部分Ｑ２２６ｂは形成されていない。
そして、図４４に示すように、サンプルＤにおいては、左側面部２０１ｂを中央面部２０１ａに折り重ねた状態で、第２の接着剤の塗布部分Ｑ２１１ａ、Ｑ２１２ａ、Ｑ２２３ａ、Ｑ２２４ａにより、左側面部２０１ｂと中央面部２０１ａ・カード紙片２０４の接着部分Ｐ２１１ａ、Ｐ２１２ａ、Ｐ２２３ａ、Ｐ２２４ａが形成され、右側面部２０１ｃを中央面部２０１ａに折り重ねた状態で、第２の接着剤の塗布部分Ｑ２１１ｂ、Ｑ２１２ｂ、Ｑ２２３ｂ、Ｑ２２４ｂ、Ｑ２２５ｂにより、右側面部２０１ｃと中央面部２０１ａ・カード紙片２０４の接着部分Ｐ２１１ｂ、Ｐ２１２ｂ、Ｐ２２３ｂ、Ｐ２２４ｂ、Ｐ２２５ｂが形成される。
【００８７】
［比較例］
次に、本発明の実施例と比較する比較例について説明する。
本比較例においては、本実施例で使用した用紙と同じ用紙を使用し、製造したカード紙片付印刷物２００の全体・各部の大きさ、接着剤の種類、製造方法等も、本実施例のものと同じである。
そして、本比較例においては、第２接着剤層のパターン（位置、大きさ、形状等）を本実施例と異ならせた５種類のカード紙片付印刷物２００のサンプル（サンプルＥ〜サンプルＩ）を製造した。
【００８８】
［サンプルＥ］
図４６は、本比較例であるカード紙片付印刷物２００のサンプルＥの平面図、図４７は、サンプルＥの左右側面部を開いた状態の平面図である。    
図４６において、網点の円形ドットで表す部分Ｐ２１５ａは左側面部２０１ｃとカード紙片２０４との接着部分であり、網点の円形ドットで表す部分Ｐ２１７ｂは右側面部２０１ｃとカード紙片２０４との接着部分である。
また、図４７において、灰色の円形ドットで表す部分Ｑ２１５ａは、左側面部２０１ｂにおける第２の接着剤の塗布部分、灰色の円形ドットで表す部分Ｑ２１７ｂは、右側面部２０１ｃにおける第２の接着剤の塗布部分であり、左右側面部２０１ｂ、２０１ｃに一点鎖線で示すコの字または逆コの字の枠は、図３９等と同様に、左右側面部２０１ｂ、２０１ｃを中央面部２０１ａに折り重ねた場合のカード紙片２０４の周縁の位置を表している（後述の図４９、図５１、図５３、図５５においても同様である。）。
【００８９】
サンプルＥにおいては、第２の接着剤の塗布部分として、サンプルＡと同様に、左側面部２０１ｂの上端部と下端部には部分Ｑ２１１ａと部分Ｑ２１２ａが形成され、左側面部２０１ｂとカード紙片２０４が重なる部分の上部と下部には、部分Ｑ２１３ａと部分Ｑ２１４ａが形成され、右側面部２０１ｃの上端部と下端部には部分Ｑ２１１ｂと部分Ｑ２１２ｂが形成され、右側面部２０１ｃとカード紙片２０４が重なる部分の上部と下部には、部分Ｑ２１３ｂと部分Ｑ２１４ｂが形成され、部分Ｑ２１３ｂと部分２１４ｂに挟まれた部分には、部分Ｑ２１５ｂと部分Ｑ２１６ｂが形成されている。
また、サンプルＥにおいては、サンプルＡと異なり、左右側面部２０１ｂ、２０１ｃとカード紙片２０４が重なる部分の上部と下部に挟まれた部分であって、その側部周縁（カード紙片２０４の側部周縁が重なる部分）の内側近傍に、部分Ｑ２１５ｂと同じパターン（上下方向に延びる１列の円形ドット列）の部分Ｑ２１５ａ、部分Ｑ２１７ｂが形成されている。
そして、図４６に示すように、サンプルＥにおいては、左側面部２０１ｂを中央面部２０１ａに折り重ねた状態で、第２の接着剤の塗布部分Ｑ２１１ａ、Ｑ２１２ａ、Ｑ２１３ａ、Ｑ２１４ａ、Ｑ２１５ａにより、左側面部２０１ｂと中央面部２０１ａ・カード紙片２０４の接着部分Ｐ２１１ａ、Ｐ２１２ａ、Ｐ２１３ａ、Ｐ２１４ａ、Ｐ２１５ａが形成され、右側面部２０１ｃを中央面部２０１ａに折り重ねた状態で、第２の接着剤の塗布部分Ｑ２１１ｂ、Ｑ２１２ｂ、Ｑ２１３ｂ、Ｑ２１４ｂ、Ｑ２１５ｂ、Ｑ２１６ｂ、Ｑ２１７ｂにより、右側面部２０１ｃと中央面部２０１ａ・カード紙片２０４の接着部分Ｐ２１１ｂ、Ｐ２１２ｂ、Ｐ２１３ｂ、Ｐ２１４ｂ、Ｐ２１５ｂ、Ｐ２１６ｂ、Ｐ２１７ｂが形成される。
【００９０】
［サンプルＦ］
図４８は、本比較例であるカード紙片付印刷物２００のサンプルＦの平面図、図４９は、サンプルＦの左右側面部を開いた状態の平面図である。    
図４８において、網点の円形ドットで表す部分Ｐ２１６ａ、Ｐ２１７ａは左側面部２０１ｃと中央面部２０１ａとの接着部分であり、網点の円形ドットで表す部分Ｐ２１８ｂ、Ｐ２１９ｂは右側面部２０１ｃと中央面部２０１ａとの接着部分である。
サンプルＦにおいては、第２の接着剤の塗布部分として、サンプルＥと同様に、左側面部２０１ｂの上端部と下端部には部分Ｑ２１１ａと部分Ｑ２１２ａが形成され、左側面部２０１ｂとカード紙片２０４が重なる部分の上部と下部には、部分Ｑ２１３ａと部分Ｑ２１４ａが形成され、部分Ｑ２１３ａと部分２１４ａに挟まれた部分には、部分Ｑ２１５ａが形成されている。
また、サンプルＦにおいては、第２の接着剤の塗布部分として、サンプルＥと同様に、右側面部２０１ｃの上端部と下端部には部分Ｑ２１１ｂと部分Ｑ２１２ｂが形成され、右側面部２０１ｃとカード紙片２０４が重なる部分の上部と下部には、部分Ｑ２１３ｂと部分Ｑ２１４ｂが形成され、部分Ｑ２１３ｂと部分２１４ｂに挟まれた部分には、部分Ｑ２１５ｂ、部分Ｑ２１６ｂ及び部分Ｑ２１７ｂが形成されている。
一方、サンプルＦにおいては、サンプルＥと異なり、左右側面部２０１ｂ、２０１ｃとカード紙片２０４が重なる部分の外側上部近傍に、左右方向に延びる１列の円形ドット列である部分Ｑ２１６ａ、部分Ｑ２１８ｂが形成され、左右側面部２０１ｂ、２０１ｃとカード紙片２０４が重なる部分の外側側部近傍に、上下方向に延びる１列の円形ドット列である部分Ｑ２１７ａ、部分Ｑ２１９ｂが形成されている。
そして、図４８に示すように、サンプルＦにおいては、左側面部２０１ｂを中央面部２０１ａに折り重ねた状態で、第２の接着剤の塗布部分Ｑ２１１ａ、Ｑ２１２ａ、Ｑ２１３ａ、Ｑ２１４ａ、Ｑ２１５ａ、Ｑ２１６ａ、Ｑ２１７ａにより、左側面部２０１ｂと中央面部２０１ａ・カード紙片２０４の接着部分Ｐ２１１ａ、Ｐ２１２ａ、Ｐ２１３ａ、Ｐ２１４ａ、Ｐ２１５ａ、Ｐ２１６ａ、Ｐ２１７ａが形成され、右側面部２０１ｃを中央面部２０１ａに折り重ねた状態で、第２の接着剤の塗布部分Ｑ２１１ｂ、Ｑ２１２ｂ、Ｑ２１３ｂ、Ｑ２１４ｂ、Ｑ２１５ｂ、Ｑ２１６ｂ、Ｑ２１７ｂ、Ｑ２１８ｂ、Ｑ２１９ｂにより、右側面部２０１ｃと中央面部２０１ａ・カード紙片２０４の接着部分Ｐ２１１ｂ、Ｐ２１２ｂ、Ｐ２１３ｂ、Ｐ２１４ｂ、Ｐ２１５ｂ、Ｐ２１６ｂ、Ｐ２１７ｂ、Ｐ２１８ｂ、Ｐ２１９ｂが形成される。
【００９１】
［サンプルＧ］
図５０は、本比較例であるカード紙片付印刷物２００のサンプルＧの平面図、図５１は、サンプルＧの左右側面部を開いた状態の平面図である。    
図５０において、網点の円形ドットで表す部分Ｐ２１８ａ、Ｐ２１９ａは左側面部２０１ｃと中央面部２０１ａとの接着部分であり、網点の円形ドットで表す部分Ｐ２２０ｂ、Ｐ２２１ｂは右側面部２０１ｃと中央面部２０１ａとの接着部分である。
サンプルＧにおいては、第２の接着剤の塗布部分として、サンプルＥ、Ｆと同様に、左側面部２０１ｂの上端部と下端部には部分Ｑ２１１ａと部分Ｑ２１２ａが形成され、左側面部２０１ｂとカード紙片２０４が重なる部分の上部と下部には、部分Ｑ２１３ａと部分Ｑ２１４ａが形成され、部分Ｑ２１３ａと部分２１４ａに挟まれた部分には、部分Ｑ２１５ａが形成されている。
また、サンプルＧにおいては、第２の接着剤の塗布部分として、サンプルＥ、Ｆと同様に、右側面部２０１ｃの上端部と下端部には部分Ｑ２１１ｂと部分Ｑ２１２ｂが形成され、右側面部２０１ｃとカード紙片２０４が重なる部分の上部と下部には、部分Ｑ２１３ｂと部分Ｑ２１４ｂが形成され、部分Ｑ２１３ｂと部分２１４ｂに挟まれた部分には、部分Ｑ２１５ｂ、部分Ｑ２１６ｂ及び部分Ｑ２１７ｂが形成されている。
一方、サンプルＧにおいては、サンプルＦと異なり、左右側面部２０１ｂ、２０１ｃとカード紙片２０４が重なる部分の外側上部近傍から離れた位置に、左右方向に延びる１列の円形ドット列である部分Ｑ２１８ａ、部分Ｑ２２０ｂが形成され、左右側面部２０１ｂ、２０１ｃとカード紙片２０４が重なる部分の外側側部近傍から離れた位置に、上下方向に延びる１列の円形ドット列である部分Ｑ２１９ａ、部分Ｑ２２１ｂが形成されている。
そして、図５９に示すように、サンプルＧにおいては、左側面部２０１ｂを中央面部２０１ａに折り重ねた状態で、第２の接着剤の塗布部分Ｑ２１１ａ、Ｑ２１２ａ、Ｑ２１３ａ、Ｑ２１４ａ、Ｑ２１５ａ、Ｑ２１８ａ、Ｑ２１９ａにより、左側面部２０１ｂと中央面部２０１ａ・カード紙片２０４の接着部分Ｐ２１１ａ、Ｐ２１２ａ、Ｐ２１３ａ、Ｐ２１４ａ、Ｐ２１５ａ、Ｐ２１８ａ、Ｐ２１９ａが形成され、右側面部２０１ｃを中央面部２０１ａに折り重ねた状態で、第２の接着剤の塗布部分Ｑ２１１ｂ、Ｑ２１２ｂ、Ｑ２１３ｂ、Ｑ２１４ｂ、Ｑ２１５ｂ、Ｑ２１６ｂ、Ｑ２１７ｂ、Ｑ２２０ｂ、Ｑ２２１ｂにより、右側面部２０１ｃと中央面部２０１ａ・カード紙片２０４の接着部分Ｐ２１１ｂ、Ｐ２１２ｂ、Ｐ２１３ｂ、Ｐ２１４ｂ、Ｐ２１５ｂ、Ｐ２１６ｂ、Ｐ２１７ｂ、Ｐ２２０ｂ、Ｐ２２１ｂが形成される。
【００９２】
［サンプルＨ］
図５２は、本比較例であるカード紙片付印刷物２００のサンプルＨの平面図、図５３は、サンプルＨの左右側面部を開いた状態の平面図である。    
サンプルＨの左側面部２０１ｂにおける第２の接着剤の塗布部分は、サンプルＡ、Ｂの左側面部２０１ｂにおける第２の接着剤の塗布部分と同じである。
すなわち、サンプルＨの左側面部２０１ｂにおいて、上端部と下端部には部分Ｑ２１１ａと部分Ｑ２１２ａが形成され、左側面部２０１ｂとカード紙片２０４が重なる部分の上部と下部には、部分Ｑ２１３ａと部分Ｑ２１４ａが形成されている。
また、サンプルＨの右側面部２０１ｃにおける第２の接着剤の塗布部分は、部分Ｑ２１５ｂがない点を除いてサンプルＢの右側面部２０１ｃにおける第２の接着剤の塗布部分と同じである。
すなわち、サンプルＨの右側面部２０１ｃにおいて、上端部と下端部には部分Ｑ２１１ｂと部分Ｑ２１２ｂが形成され、右側面部２０１ｃとカード紙片２０４が重なる部分の上部と下部には、部分Ｑ２１３ｂと部分Ｑ２１４ｂが形成され、部分Ｑ２１３ｂと部分Ｑ２１４ｂに挟まれた部分には、第２の接着剤の塗布部分が形成されていない。
そして、図５２に示すように、サンプルＨにおいては、左側面部２０１ｂを中央面部２０１ａに折り重ねた状態で、第２の接着剤の塗布部分Ｑ２１１ａ、Ｑ２１２ａ、Ｑ２１３ａ、Ｑ２１４ａにより、左側面部２０１ｂと中央面部２０１ａ・カード紙片２０４の接着部分Ｐ２１１ａ、Ｐ２１２ａ、Ｐ２１３ａ、Ｐ２１４ａが形成され、右側面部２０１ｃを中央面部２０１ａに折り重ねた状態で、第２の接着剤の塗布部分Ｑ２１１ｂ、Ｑ２１２ｂ、Ｑ２１３ｂ、Ｑ２１４ｂにより、右側面部２０１ｃと中央面部２０１ａ・カード紙片２０４の接着部分Ｐ２１１ｂ、Ｐ２１２ｂ、Ｐ２１３ｂ、Ｐ２１４ｂが形成される。
【００９３】
［サンプルＩ］
図５４は、本比較例であるカード紙片付印刷物２００のサンプルＩの平面図、図５５は、サンプルＩの左右側面部を開いた状態の平面図である。
図５４において、網点の横長の長方形で表す部分Ｐ２３１ａとＰ２３２ａ、網点の縦長の長方形で表す部分Ｐ２３６ａは、左側面部２０１ｂと中央面部２０１ａとの接着部分、網点の横長の長方形で表す部分Ｐ２３１ｂとＰ２３２ｂ、網点の縦長の長方形で表す部分Ｐ２３６ｂは、右側面部２０１ｃと中央面部２０１ａとの接着部分、網点の横長の長方形で表す部分Ｐ２３３ａとＰ２３４ａ、網点の縦長の長方形で表す部分Ｐ２３５ａは、左側面部２０１ｂとカード紙片２０４との接着部分、網点の横長の長方形で表す部分Ｐ２３３ｂとＰ２３４ｂ、網点の縦長の長方形で表す部分Ｐ２３５ｂは、右側面部２０１ｃとカード紙片２０４との接着部分である。
また、図５５において、灰色の横長・横長の長方形で表す部分Ｑ２３１ａ、Ｑ２３２ａ、Ｑ２３３ａ、Ｑ２３４ａ、Ｑ２３５ａ、Ｑ２３６ａは、左側面部２０１ｂにおける第２の接着剤の塗布部分、灰色の横長・横長の長方形で表す部分Ｑ２３１ｂ、Ｑ２３２ｂ、Ｑ２３３ｂ、Ｑ２３４ｂ、Ｑ２３５ｂ、Ｑ２３６ｂは、右側面部２０１ｃにおける第２の接着剤の塗布部分である。
図５５に示すように、サンプルＩにおいては、他のサンプルと異なり、左右側面部２０１ｂ、２０１ｃの上端部と下端部には第２の接着剤の塗布部分は形成されず、左右側面部２０１ｂ、２０１ｃのカード紙片２０４が重なる部分の周縁の外側近傍と内側近傍にのみ第２の接着剤の塗布部分が形成されている。
すなわち、部分Ｑ２３１ａと部分Ｑ２３２ａと部分Ｑ２３６ａは、左側面部２０１ｂとカード紙片２０４が重なる部分の周縁から外側に約２ｍｍ離れた位置にコの字状の領域を形成し、部分Ｑ２３３ａと部分Ｑ２３４ａと部分Ｑ２３５ａは、左側面部２０１ｂとカード紙片２０４が重なる部分の周縁から内側に約２ｍｍ離れた位置にコの字状の領域を形成している。
また、部分Ｑ２３１ｂと部分Ｑ２３２ｂと部分Ｑ２３６ｂは、右側面部２０１ｃとカード紙片２０４が重なる部分の周縁から外側に約２ｍｍ離れた位置に逆コの字状の領域を形成し、部分Ｑ２３３ａと部分Ｑ２３４ａと部分Ｑ２３５ａは、右側面部２０１ｃとカード紙片２０４が重なる部分の周縁から内側に約２ｍｍ離れた位置に逆コの字状の領域を形成している。
これらのコの字状の領域と逆コの字状の領域の幅は約１０ｍｍである。
そして、図５４に示すように、サンプルＩにおいては、左側面部２０１ｂを中央面部２０１ａに折り重ねた状態で、第２の接着剤の塗布部分Ｑ２３１ａ、Ｑ２３２ａ、Ｑ２３３ａ、Ｑ２３４ａ、Ｑ２３５ａ、Ｑ２３６ａにより、左側面部２０１ｂと中央面部２０１ａ・カード紙片２０４の接着部分Ｐ２３１ａ、Ｐ２３２ａ、Ｐ２３３ａ、Ｐ２３４ａ、Ｐ２３５ａ、Ｐ２３６ａが形成され、右側面部２０１ｃを中央面部２０１ａに折り重ねた状態で、第２の接着剤の塗布部分Ｑ２３１ｂ、Ｑ２３２ｂ、Ｑ２３３ｂ、Ｑ２３４ｂ、Ｑ２３５ｂ、Ｑ２３６ｂにより、右側面部２０１ｃと中央面部２０１ａ・カード紙片２０４の接着部分Ｐ２３１ｂ、Ｐ２３２ｂ、Ｐ２３３ｂ、Ｐ２３４ｂ、Ｐ２３５ｂ、Ｐ２３６ｂが形成される。
【００９４】
［実施例・比較例の各サンプルについての製造実験、開封実験等］
実施例のサンプルＡ〜Ｄと比較例のサンプルＥ〜Ｉについて、製造実験を行い、製造したカード紙片付印刷物２００の各サンプルの開封実験、カード紙片２０４の取り出し実験を行った。
製造実験においては、インライン機の運転速度を変え、低速（版胴の回転数１１５ｒｐｍ）と高速（版胴の回転数２００ｒｐｍ）で、カード紙片付印刷物２００の各サンプルを数十部製造した。
開封実験においては、製造したカード紙片付印刷物２００の各サンプル数枚について、最初に右側面部２０１ｃの右下隅部を摘んで右側面部２０１ｃを中央面部２０１ａ・カード紙片２０４から剥がして開き、次に、左側面部２０１ｃの左下隅部を摘んで左側面部２０１ｃを中央面部２０１ａから剥がして開いた。
カード紙片２０４の取り出し実験においては、左右側面部２０１ｂ、２０１ｃを閉じた状態で、カード紙片２０４を左右側面部２０１ｂ、２０１ｃから剥がして取り出した。
【００９５】
［実験結果］
各サンプルについての実験結果は以下のとおりである。
【００９６】
［製造実験結果］
サンプルＡ〜サンプルＧの製造実験においては、低速の場合、高速の場合共に、カード紙片２０４が脱落せずにカード紙片付印刷物２００が製造でき、また、製造中に左右側面部２０１ｂ、２０１ｃの側縁の折れ込みも発生しなかった。
サンプルＨの開封実験においては、低速の場合は、カード紙片２０４が脱落せずにカード紙片付印刷物２００が製造できたが、高速の場合は、カード紙片２０４が脱落した。また、製造中に左右側面部２０１ｂ、２０１ｃの側縁の折れ込みは発生しなかった。
サンプルＩの製造実験においては、低速の場合、高速の場合共に、カード紙片２０４が脱落せずにカード紙片付印刷物２００が製造できたが、高速の場合は、製造中に左右側面部２０１ｂ、２０１ｃの側縁の折れ込みが発生した。
【００９７】
［開封実験結果］
サンプルＡ〜サンプルＤ、サンプルＨの開封実験においては、カード紙片付印刷物２００が破断することなく、容易に左右側面部２０１ｂ、２０１ｃを開くことができ、カード紙片２０４は後から開く左側面部２０１ｂに付着せず、中央面部２０１ａの切り込み枠内にほぼ納まった状態で、きわめて容易にカード紙片２０４を取り出すことができた。
サンプルＥの開封実験においては、カード紙片付印刷物２００が破断することなく、容易に左右側面部２０１ｂ、２０１ｃを開くことができ、カード紙片２０４は後から開く左側面部２０１ｂに付着せずに左側面部２０１ｂから脱落し、容易にカード紙片２０４を取り出すことができた。
サンプルＦの開封実験においては、左右側面部２０１ｂ、２０１ｃを開くことはできたが、一部のカード紙片付印刷物２００の中央面部２０１ａの切り込み枠の左上隅部や右上隅部に亀裂が生じ、また、カード紙片２０４は後から開く左側面部２０１ｂに付着し、カード紙片２０４を左側面部２０１ｂから剥がして取り出すのが面倒であった。
サンプルＧの開封実験においては、左右側面部２０１ｂ、２０１ｃを開くことはできたが、一部のカード紙片付印刷物２００の中央面部２０１ａの切り込み枠の左上隅部や右上隅部に亀裂が生じたが、カード紙片２０４は後から開く左側面部２０１ｂに付着せずに左側面部２０１ｂから脱落し、容易にカード紙片２０４を取り出すことができた。
サンプルＩの開封実験においては、左右側面部２０１ｂ、２０１ｃを開くことはできたが、全部のカード紙片付印刷物２００の中央面部２０１ａの切り込み枠の左上隅部や右上隅部に亀裂が生じ、また、カード紙片２０４は後から開く左側面部２０１ｂに付着し、カード紙片２０４を左側面部２０１ｂから剥がして取り出すのが面倒であった。
【００９８】
［カード紙片２０４の取り出し実験結果］
サンプルＡ〜サンプルＤ、サンプルＨのカード紙片２０４の取り出し実験においては、容易にカード紙片２０４の左側部または右側部を摘んで、カード紙片２０４を左右側面部２０１ｂ、２０１から剥がして取り出すことができた。
サンプルＥ〜サンプルＧのカード紙片２０４の取り出し実験においては、カード紙片２０４の左側部または右側部を摘みにくく、カード紙片２０４を左右側面部２０１ｂ、２０１から剥がして、カード紙片２０４を取り出すのがやや困難であった。
サンプルＩのカード紙片２０４の取り出し実験においては、カード紙片２０４の左側部または右側部をきわめて摘みにくく、カード紙片２０４を左右側面部２０１ｂ、２０１から剥がして、カード紙片２０４を取り出すのが困難であった。
【００９９】
［実験結果まとめ］
上記実験結果を表１に示す。
【表１】
2018015975.tif 000003
【０１００】
表１における「製造実験」の「カード紙片の脱落のし難さ」の欄の「○」は、低速・高速共にカード紙片２０４が脱落しなかったことを示し、同欄の「△」は、低速ではカード紙片２０４が脱落しなかったが、高速ではカード紙片２０４が脱落したことを示す。
表１における「製造実験」の「折れ込みの発生し難さ」の欄の「○」は、低速・高速共に左右側面部２０１ｂ、２０１ｃの側縁の折れ込みが発生しなかったことを示し、同欄の「△」は、低速では左右側面部２０１ｂ、２０１ｃの側縁の折れ込みが発生しなかったが、高速では左右側面部２０１ｂ、２０１ｃの側縁の折れ込みが発生したことを示す。
表１における「開封実験」の「カード紙片の取り出し易さ」の欄の「○」は、後から開く左側面部２０１ｂにカード紙片２０４が付着せず、カード紙片２０４が容易に取り出せたことを示し、同欄の「×」は、後から開く左側面部２０１ｂにカード紙片２０４が付着し、カード紙片２０４を取り出すのが面倒であったことを示す。
表１における「開封実験」の「亀裂等の発生のし難さ」の欄の「○」は、左右側面部２０１ｂ、２０１ｃを開くときにカード紙片付印刷物２００に亀裂や破断等が生じなかったことを示し、同欄の「△」は、左右側面部２０１ｂ、２０１ｃを開くときに、一部のカード紙片付印刷物２００の中央面部２０１ａの切り込み枠の左上隅部や右上隅部に亀裂が生じたことを示し、同欄の「×」は、左右側面部２０１ｂ、２０１ｃを開くときに、全部のカード紙片付印刷物２００の中央面部２０１ａの切り込み枠の左上隅部や右上隅部に亀裂が生じたことを示す。
表１における「カード紙片取り出し実験」の「カード紙片の取り出し易さ」の欄の「○」は、容易にカード紙片２０４の左側部または右側部を摘んで、カード紙片２０４を左右側面部２０１ｂ、２０１から剥がして取り出すことができたことを示し、同欄の「△」は、カード紙片２０４の左側部または右側部を摘みにくく、カード紙片２０４を左右側面部２０１ｂ、２０１から剥がして、カード紙片２０４を取り出すのがやや困難であったことを示し、同欄の「×」は、カード紙片２０４の左側部または右側部をきわめて摘みにくく、カード紙片２０４を左右側面部２０１ｂ、２０１から剥がして、カード紙片２０４を取り出すのが困難であったことを示す。
【０１０１】
表１から明らかなように実施例のサンプルＡ〜Ｄは、製造時の「カード紙片の脱落し難さ」、「折れ込みの発生し難さ」、開封後の「カード紙片の取り出し易さ」、「亀裂等の発生のし難さ」、開封前の「カード紙片の取り出し易さ」すべてにおいて優れていた。
これに対して比較例のサンプルＥ〜Ｉは、製造時の「カード紙片の脱落し難さ」、「折れ込みの発生し難さ」、開封後の「カード紙片の取り出し易さ」、「亀裂等の発生のし難さ」、開封前の「カード紙片の取り出し易さ」の少なくともいずれかにおいて劣っていた。
【産業上の利用可能性】
【０１０２】
本発明のカード紙片付印刷物は、左側面部と中央面部と右側面部からなるカード紙片付印刷物であって、中央面部にカード紙片が打抜き形成され、左右側面部が中央面部及びカード紙片に剥離可能に接着した印刷物において、左右側面部を開くまではカード紙片が左右側面部に付着して脱落せず、左右側面部を開くと、カード紙片は左右側面部から剥がれるか剥がれやすくなって、カード紙片を容易に取り出すことができるとともに、左右側面部を中央面部から剥がして開かなくてもカード紙片を容易に取り出すことができるようにするものである。
【符号の説明】
【０１０３】
１  カード紙片付印刷物
２  カード紙片付印刷物
１１  第１の用紙
１１ａ  中央面部
１１ａ１  上縁
１１ａ２  下縁
１１ｂ  左側面部
１１ｂｘ  右下隅部
１１ｃ  右側面部
１２  第２の用紙
１３  貼り合せ部分
１４  カード紙片
１４ａ  上縁
１４ｂ  下縁
１４ｃ  側縁
１４ｄ  側縁
１４ｋ  切り込み
１４ｈ  開口部
１４ｗ  切り込み枠
１５  第１の接着剤層
１６  第２の接着剤層
１６ａ、１６ｂ、１６ｃ、１６ｄ  第２の接着剤層
２１  第１の用紙
２１ａ  中央面部
２１ｂ  左側面部
２１ｃ  右側面部
２２  第２の用紙
２３  貼り合せ部分
２４  カード紙片
２４ｋ  切り込み
２４ｈ  開口部
２４ｗ  切り込み枠
２５  第１の接着剤層
２６  第２の接着剤層
２６ａ、２６ｂ、２６ｃ、２６ｄ  第２の接着剤層
１００  紙加工装置
１１０  スリッター部
１１１  切断ローラー
１１２  受けローラー
１１３、１１４  ガイドローラー
１２０  第１糊付け部
１２２  糊付けローラー
１２３  押付けローラー
１２４、１２５  供給ローラー
１２６  受け皿（パン）
１３０  貼り合せ部
１３１、１３２  ニップローラー
１４０  第２糊付け部
１４１  糊版
１４２  糊付けローラー
１４３  押付けローラー
１４４、１２５  供給ローラー
１４６  受け皿（パン）
１５０  折り・貼り合せ部
１５１、１５２  ニップローラー
１６０  打抜き部
１６１  打抜き刃
１６２  打抜きローラー
１６３  受けローラー
１７０  断裁部
１７１  断裁刃
１７２  断裁ローラー
１７３  受けローラー
２００  カード紙片付印刷物
２０１  第１の用紙
２０１ａ  中央面部
２０１ｂ  左側面部
２０１ｃ  右側面部
２０２  第２の用紙
２０３  貼り合せ部分
２０４  カード紙片
Ｆ１、Ｆ２、Ｆ３  力を表す矢印
ｆ１１、ｆ１２  折り線
ｆ２１、ｆ２２  折り線
ｆ２０１、ｆ２０２  折り線
Ｇ１、Ｇ２  方向を表す矢印
ｇｌ１  第１接着剤
ｇｌ２  第２接着剤
Ｐ３１ａ、Ｐ３１ｂ  接着部分（領域）を示す部分
Ｐ３１ｃ、Ｐ３１ｄ  接着部分（領域）を示す部分
Ｐ３１ｅ、Ｐ３１ｆ  接着部分（領域）を示す部分
Ｐ３２ａ、Ｐ３２ｂ  接着部分（領域）を示す部分
Ｐ３２ｃ、Ｐ３２ｄ  接着部分（領域）を示す部分
Ｐ３２ｅ、Ｐ３２ｆ  接着部分（領域）を示す部分
Ｐ３３ａ、Ｐ３３ｂ  接着部分（領域）を示す部分
Ｐ３３ｃ、Ｐ３３ｄ  接着部分（領域）を示す部分
Ｐ３３ｅ、Ｐ３３ｆ  接着部分（領域）を示す部分
Ｐ３４ａ、Ｐ３４ｂ  接着部分（領域）を示す部分
Ｐ３４ｃ、Ｐ３４ｄ  接着部分（領域）を示す部分
Ｐ３４ｅ、Ｐ３４ｆ  接着部分（領域）を示す部分
Ｐ３７、Ｐ３８、Ｐ３９  接着部分（領域）を示す部分
Ｐ３７’、Ｐ３８’  接着部分（領域）を示す部分
Ｐ３７ａ、Ｐ３８ａ  接着部分（領域）を示す部分
Ｐ３７ｂ、Ｐ３８ｂ  接着部分（領域）を示す部分
Ｑ３１ａ、Ｑ３１ｂ  接着部分（領域）を示す部分
Ｑ３１ｃ、Ｑ３１ｄ  接着部分（領域）を示す部分
Ｑ３１ｅ、Ｑ３１ｆ  接着部分（領域）を示す部分
Ｑ３２ａ、Ｑ３２ｂ  接着部分（領域）を示す部分
Ｑ３２ｃ、Ｑ３２ｄ  接着部分（領域）を示す部分
Ｑ３２ｅ、Ｑ３２ｆ  接着部分（領域）を示す部分
Ｑ３３ａ、Ｑ３３ｂ  接着部分（領域）を示す部分
Ｑ３３ｃ、Ｑ３３ｄ  接着部分（領域）を示す部分
Ｑ３３ｅ、Ｑ３３ｆ  接着部分（領域）を示す部分
Ｑ３４ａ、Ｑ３４ｂ  接着部分（領域）を示す部分
Ｑ３４ｃ、Ｑ３４ｄ  接着部分（領域）を示す部分
Ｑ３４ｅ、Ｑ３４ｆ  接着部分（領域）を示す部分
Ｑ３７、Ｑ３８、Ｑ３９  接着部分（領域）を示す部分
Ｑ３７’、Ｑ３８’  接着部分（領域）を示す部分
Ｑ３５、Ｑ３６   領域
Ｑ４１ａ、Ｑ４１ｂ  領域
Ｑ４２ａ、Ｑ４２ｂ  領域
Ｑ４３、Ｑ４４  領域
Ｐ５１ａ、Ｐ５１ｂ  接着部分（領域）を示す部分
Ｐ５２ａ、Ｐ５２ｂ  接着部分（領域）を示す部分
Ｐ５３ａ、Ｐ５３ｂ  接着部分（領域）を示す部分
Ｐ５４ａ、Ｐ５４ｂ  接着部分（領域）を示す部分
Ｐ５７、Ｐ５８  接着部分（領域）を示す部分
Ｐ５７’、Ｐ５８’  接着部分（領域）を示す部分
Ｑ５１ａ、Ｑ５１ｂ  接着部分（領域）を示す部分
Ｑ５２ａ、Ｑ５２ｂ  接着部分（領域）を示す部分
Ｑ５３ａ、Ｑ５３ｂ  接着部分（領域）を示す部分
Ｑ５４ａ、Ｑ５４ｂ  接着部分（領域）を示す部分
Ｑ５７、Ｑ５８  接着部分（領域）を示す部分
Ｑ５５、Ｑ５６  領域
Ｑ６１ａ、Ｑ６１ｂ  領域
Ｑ６２ａ、Ｑ６２ｂ  領域
Ｑ６３、Ｑ６４  領域
Ｒ３１〜Ｒ３６  領域
Ｒ４１〜Ｒ４４  領域
Ｒ５１〜Ｒ５６  領域
Ｒ６１〜Ｒ６４  領域
Ｐ２１１ａ、Ｐ２１１ｂ  接着部分（領域）を示す部分
Ｐ２１２ａ、Ｐ２１２ｂ  接着部分（領域）を示す部分
Ｐ２１３ａ、Ｐ２１３ｂ  接着部分（領域）を示す部分
Ｐ２１４ａ、Ｐ２１４ｂ  接着部分（領域）を示す部分
Ｐ２１５ａ、Ｐ２１５ｂ  接着部分（領域）を示す部分
Ｐ２１６ａ、Ｐ２１６ｂ  接着部分（領域）を示す部分
Ｐ２１７ａ、Ｐ２１７ｂ  接着部分（領域）を示す部分
Ｐ２１８ａ、Ｐ２１８ｂ  接着部分（領域）を示す部分
Ｐ２１９ａ、Ｐ２１９ｂ  接着部分（領域）を示す部分
Ｐ２２０ｂ、Ｐ２２１ｂ  接着部分（領域）を示す部分
Ｐ２２３ａ、Ｐ２２３ｂ  接着部分（領域）を示す部分
Ｐ２２４ａ、Ｐ２２４ｂ  接着部分（領域）を示す部分
Ｐ２２５ｂ、Ｐ２２６ｂ  接着部分（領域）を示す部分
Ｐ２３１ａ、Ｐ２３１ｂ  接着部分（領域）を示す部分
Ｐ２３２ａ、Ｐ２３２ｂ  接着部分（領域）を示す部分
Ｐ２３３ａ、Ｐ２３３ｂ  接着部分（領域）を示す部分
Ｐ２３４ａ、Ｐ２３４ｂ  接着部分（領域）を示す部分
Ｐ２３５ａ、Ｐ２３５ｂ  接着部分（領域）を示す部分
Ｐ２３６ａ、Ｐ２３６ｂ  接着部分（領域）を示す部分
Ｑ２１１ａ、Ｑ２１１ｂ  第２接着剤の塗布部分
Ｑ２１２ａ、Ｑ２１２ｂ  第２接着剤の塗布部分
Ｑ２１３ａ、Ｑ２１３ｂ  第２接着剤の塗布部分
Ｑ２１４ａ、Ｑ２１４ｂ  第２接着剤の塗布部分
Ｑ２１５ａ、Ｑ２１５ｂ  第２接着剤の塗布部分
Ｑ２１６ａ、Ｑ２１６ｂ  第２接着剤の塗布部分
Ｑ２１７ａ、Ｑ２１７ｂ  第２接着剤の塗布部分
Ｑ２１８ａ、Ｑ２１８ｂ  第２接着剤の塗布部分
Ｑ２１９ａ、Ｑ２１９ｂ  第２接着剤の塗布部分
Ｑ２２０ｂ、Ｑ２２１ｂ  第２接着剤の塗布部分
ｖ２２３ａ、Ｑ２２３ｂ  第２接着剤の塗布部分
Ｑ２２４ａ、Ｑ２２４ｂ  第２接着剤の塗布部分
Ｑ２２５ｂ、Ｑ２２６ｂ  第２接着剤の塗布部分
Ｑ２３１ａ、Ｑ２３１ｂ  第２接着剤の塗布部分
Ｑ２３２ａ、Ｑ２３２ｂ  第２接着剤の塗布部分
Ｑ２３３ａ、Ｑ２３３ｂ  第２接着剤の塗布部分
Ｑ２３４ａ、Ｑ２３４ｂ  第２接着剤の塗布部分
Ｑ２３５ａ、Ｑ２３５ｂ  第２接着剤の塗布部分
Ｑ２３６ａ、Ｑ２３６ｂ  第２接着剤の塗布部分
Ｓ１〜Ｓ１０  接着部分
Ｓ１１〜Ｓ２２  接着部分
Ａ  用紙
ＡＲ  一方（右側）の用紙
ＡＬ  他方（左側）の用紙
Ａ１〜Ａ４  領域
Ａｘ１  切断予定線
Ａｙ１、Ａｙ２  切断予定線
Ａｕ１  打ち抜き予定線
Ａｔ１、Ａｔ２  縦折り予定線
Ａｒ１  第１接着剤塗布予定領域
Ａｒ２１〜Ａｒ２４  第２接着剤塗布予定領域
Ａｒ２９  第２接着剤塗布予定領域
Ａｒ３１〜Ａｒ３４  第２接着剤塗布予定領域
Ａｒ３７、Ａｒ３８  第２接着剤塗布予定領域
Ｂ  用紙
ＢＲ  一方（右側）の用紙
ＢＬ  他方（左側）の用紙
Ｂ１〜Ｂ４  領域
Ｂｘ１  切断予定線
Ｂｙ１、Ｂｙ２  切断予定線
Ｂｕ１  打ち抜き予定線
Ｂｔ１、Ｂｔ２  縦折り予定線
Ｂｒ１  第１接着剤塗布予定領域
Ｂｒ２１〜Ｂｒ２４  第２接着剤塗布予定領域
Ｂｒ３１〜Ｂｒ３４  第２接着剤塗布予定領域
Ｂｒ３７、Ｂｒ３８  第２接着剤塗布予定領域
【図１】
2018015975.tif 000004
【図２】
2018015975.tif 000005
【図３】
2018015975.tif 000006
【図４】
2018015975.tif 000007
【図５】
2018015975.tif 000008
【図６】
2018015975.tif 000009
【図７】
2018015975.tif 000010
【図８】
2018015975.tif 000011
【図９】
2018015975.tif 000012
【図１０】
2018015975.tif 000013
【図１１】
2018015975.tif 000014
【図１２】
2018015975.tif 000015
【図１３】
2018015975.tif 000016
【図１４】
2018015975.tif 000017
【図１５】
2018015975.tif 000018
【図１６】
2018015975.tif 000019
【図１７】
2018015975.tif 000020
【図１８】
2018015975.tif 000021
【図１９】
2018015975.tif 000022
【図２０】
2018015975.tif 000023
【図２１】
2018015975.tif 000024
【図２２】
2018015975.tif 000025
【図２３】
2018015975.tif 000026
【図２４】
2018015975.tif 000027
【図２５】
2018015975.tif 000028
【図２６】
2018015975.tif 000029
【図２７】
2018015975.tif 000030
【図２８】
2018015975.tif 000031
【図２９】
2018015975.tif 000032
【図３０】
2018015975.tif 000033
【図３１】
2018015975.tif 000034
【図３２】
2018015975.tif 000035
【図３３】
2018015975.tif 000036
【図３４】
2018015975.tif 000037
【図３５】
2018015975.tif 000038
【図３６】
2018015975.tif 000039
【図３７】
2018015975.tif 000040
【図３８】
2018015975.tif 000041
【図３９】
2018015975.tif 000042
【図４０】
2018015975.tif 000043
【図４１】
2018015975.tif 000044
【図４２】
2018015975.tif 000045
【図４３】
2018015975.tif 000046
【図４４】
2018015975.tif 000047
【図４５】
2018015975.tif 000048
【図４６】
2018015975.tif 000049
【図４７】
2018015975.tif 000050
【図４８】
2018015975.tif 000051
【図４９】
2018015975.tif 000052
【図５０】
2018015975.tif 000053
【図５１】
2018015975.tif 000054
【図５２】
2018015975.tif 000055
【図５３】
2018015975.tif 000056
【図５４】
2018015975.tif 000057
【図５５】
2018015975.tif 000058